(57)【要約】【課題】無線リソーススケジューリング方法、ネットワーク側装置及びユーザ装置を提供すること。【解決手段】ネットワーク側装置が、第１のチャネルの伝送長さの類型を確定してＵＥに通知し、ネットワーク側装置及びＵＥが、第１のチャネルの伝送長さの類型に基づいて、目標時間ユニット内でデータ伝送を行う。【選択図】図３
2021516925.tif 000002
【特許請求の範囲】
【請求項１】
ネットワーク側装置が、ユーザ装置（ＵＥ）に対して目標時間ユニット内の第１のチャネルの伝送長さの類型を確定することと、
前記ネットワーク側装置が、前記目標時間ユニット内の前記第１のチャネルの伝送長さの類型を前記ＵＥに通知し、前記第１のチャネルの伝送長さの類型に基づいて、前記目標時間ユニットで前記ＵＥとデータ伝送を行うことと、
を含む、無線リソーススケジューリング方法。
【請求項２】
前記ネットワーク側装置が、前記第１のチャネルの伝送長さの類型に基づいて、前記ＵＥとデータ伝送を行うことは、
前記ネットワーク側装置が、第１のパラメータ値及び第２のパラメータ値の一方又は両方と、前記第１のチャネルの伝送長さの類型とに基づいて、前記目標時間ユニット内での、前記第１のチャネルを含む１つまたは複数のチャネルの伝送時間長さを確定し、前記第１のパラメータ値が、下り信号とその後最初の上り信号との間隔の最短時間長さを指示し、前記第２のパラメータ値が、前記目標時間ユニット内での、下り伝送の最短時間長さと、前記目標時間ユニットでの前記下り伝送が開始する開始位置とを指示することと、
前記ネットワーク側装置が、１つまたは複数のチャネルの伝送時間長さに基づいて、前記ＵＥとデータ伝送を行うことと、
を含む、請求項１に記載の無線リソーススケジューリング方法。
【請求項３】
前記ネットワーク側装置が、前記目標時間ユニット内での、前記１つまたは複数のチャネルの伝送時間長さを確定することは、
前記第１のチャネルが物理下り共有チャネルＰＤＳＣＨであり、前記目標時間ユニットの次の時間ユニットが下りのためのものであり、且つ前記ＰＤＳＣＨの伝送長さの類型が長類型であると、前記目標時間ユニット内で、前記ＰＤＳＣＨの伝送時間長さ＝前記目標時間ユニット長さ−前記第２のパラメータ値−α１であると確定し、α１は０以上の定数であり、長類型であるＰＤＳＣＨの伝送時間長さは、前記目標時間ユニットの長さ／２よりも長いことと、
前記第１のチャネルがＰＤＳＣＨであり、前記目標時間ユニットの次の時間ユニットが上りのためのものであり、且つ前記ＰＤＳＣＨの伝送長さの類型が長類型であると、前記目標時間ユニット内で、前記ＰＤＳＣＨの伝送時間長さ＝前記目標時間ユニットの長さ−前記第１のパラメータ値−前記第２のパラメータ値−α１であると確定することと、
前記第１のチャネルが物理下り共有チャネルＰＤＳＣＨであり、且つ前記ＰＤＳＣＨの伝送長さの類型が短類型であると、前記目標時間ユニット内で、短類型である前記ＰＤＳＣＨの伝送時間長さ＝（前記目標時間ユニット長さ／β）−前記第２のパラメータ−α２であり、前記目標時間ユニット内で、短類型である物理上り制御チャネルＰＵＣＣＨの伝送時間長さ＝（前記目標時間ユニット長さ／β）−前記第１のパラメータ−α２であると確定し、βは２以上の定数であり、α２は０以上の定数であることと、
前記第１のチャネルがＰＵＣＣＨであり、且つ前記ＰＵＣＣＨの伝送長さの類型が長類型であると、前記目標時間ユニット内で、前記ＰＵＣＣＨの伝送時間長さ＝前記目標時間ユニットの長さ−前記第１のパラメータ値−前記第２のパラメータ値−α１であると確定し、長類型である前記ＰＵＣＣＨの伝送時間長さは、前記目標時間ユニットの長さ／２よりも長いことと、
前記第１のチャネルが物理上り共有チャネルＰＵＳＣＨであり、且つ前記ＰＵＳＣＨの伝送長さの類型が短類型であると、前記目標時間ユニット内で、前記ＰＵＳＣＨの伝送時間長さ＝（前記目標時間ユニットの長さ／β）−前記第１のパラメータ値−α２であると確定することと、
前記第１のチャネルがＰＵＳＣＨであり、且つ前記ＰＵＳＣＨの伝送長さの類型が長類型であると、前記目標時間ユニット内で、前記ＰＵＳＣＨの伝送時間長さ＝前記目標時間ユニットの長さ−前記第１のパラメータ値−前記第２のパラメータ値−α１であると確定し、長類型である前記ＰＵＳＣＨの伝送時間長さは、前記目標時間ユニットの長さ／２よりも長いことと、
を含む、請求項２に記載の無線リソーススケジューリング方法。
【請求項４】
前記ネットワーク側装置が、第１のパラメータの選択値集合から１つの値を選択して前記第１のパラメータ値とし、選択された前記第１のパラメータ値を指示する第１のビット識別子を前記ＵＥに送信すること、及び／又は、前記ネットワーク側装置が、下り制御情報ＤＣＩを伝送するのに占有する符号数及び／又は下り測定参照信号を伝送するのに占有する符号数に基づいて、第２のパラメータの選択値集合から１つの値を選択して前記第２のパラメータ値とし、選択された前記第２のパラメータ値を指示する第２のビット識別子を前記ＵＥに送信すること、
をさらに含む、請求項２また３に記載の無線リソーススケジューリング方法。
【請求項５】
前記ネットワーク側装置が、前記目標時間ユニット内の前記第１のチャネルの伝送長さの類型を前記ＵＥに通知することは、
前記ネットワーク側装置が、下り制御情報ＤＣＩによって、前記第1のチャネルの伝送長さの類型を指示する第３のビット識別子を前記ＵＥに送信すること、
を含む、請求項１〜４のいずれかに記載の無線リソーススケジューリング方法。
【請求項６】
プロセッサと、メモリと、バスとを備え、前記メモリが、前記プロセッサによって実行可能な機器可読命令を記憶し、前記プロセッサと前記メモリとが、バスを介して通信するネットワーク側装置であって、前記機器可読命令が、プロセッサによって実行される際に、
ＵＥに対して目標時間ユニット内の第１のチャネルの伝送長さの類型を確定する処理と、
前記目標時間ユニット内の前記第１のチャネルの伝送長さの類型を前記ＵＥに通知し、前記第１のチャネルの伝送長さの類型に基づいて、前記目標時間ユニット内で前記ＵＥとデータ伝送を行う処理と、を実行する
ネットワーク側装置。
【請求項７】
前記第１のチャネルの伝送長さの類型に基づいて、前記ＵＥとデータ伝送を行う処理について、前記機器可読命令が、プロセッサによって実行される際に、
前記第１のパラメータ値および第２のパラメータ値の一方または両方と、前記第１のチャネルの伝送長さの類型とに基づいて、前記目標時間ユニット内の前記第１のチャネルを含む１つまたは複数のチャネルの伝送時間長さを確定し、前記第１のパラメータ値が、下り信号とその後最初の上り信号との間隔の最短時間長さを指示し、前記第２のパラメータ値が、前記目標時間ユニット内の下り伝送の最短時間長さと、前記目標時間ユニットでの前記下り伝送が開始する開始位置とを指示する処理と、
１つまたは複数のチャネルの伝送時間長さに基づいて、前記ＵＥとデータ伝送を行う処理、を実行する
請求項６に記載のネットワーク側装置。
【請求項８】
前記第１のパラメータ値および第２のパラメータ値の一方または両方と、前記第１のチャネルの伝送長さの類型とに基づいて、前記目標時間ユニット内の前記第１のチャネルを含む１つまたは複数のチャネルの伝送時間長さを確定する処理について、前記機器可読命令が、プロセッサによって実行される際に、
前記第１のチャネルが物理下り共有チャネルＰＤＳＣＨであり、前記目標時間ユニットの次の時間ユニットが下りのためのものであり、且つ前記ＰＤＳＣＨの伝送長さの類型が長類型であると、前記目標時間ユニット内で、前記ＰＤＳＣＨの伝送時間長さ＝前記目標時間ユニット長さ−前記第２のパラメータ値−α１であると確定し、前記α１が０以上の定数であり、長類型であるＰＤＳＣＨの伝送時間長さが、前記目標時間ユニットの長さ／２よりも長い処理を実行し、
前記第１のチャネルがＰＤＳＣＨであり、前記目標時間ユニットの次の時間ユニットが上りのためのものであり、且つ前記ＰＤＳＣＨの伝送長さの類型が長類型であると、前記目標時間ユニット内で、前記ＰＤＳＣＨの伝送時間長さ＝前記目標時間ユニットの長さ−前記第１のパラメータ値−前記第２のパラメータ値−α１であると確定する処理を実行し、
前記第１のチャネルが物理下り共有チャネルＰＤＳＣＨであり、且つ前記ＰＤＳＣＨの伝送長さの類型が短類型であると、前記目標時間ユニット内で、短類型である前記ＰＤＳＣＨの伝送時間長さ＝（前記目標時間ユニット長さ／β）−前記第２のパラメータ−α２であると確定し、前記目標時間ユニット内で、短類型である物理上り制御チャネルＰＵＣＣＨの伝送時間長さ＝（前記目標時間ユニット長さ／β）−前記第１のパラメータ−α２であると確定し、βが２以上の定数であり、α２が０以上の定数である処理を実行し、
前記第１のチャネルがＰＵＣＣＨであり、且つ、前記ＰＵＣＣＨの伝送長さの類型が長類型であると、前記目標時間ユニット内で、前記ＰＵＣＣＨの伝送時間長さ＝前記目標時間ユニットの長さ−前記第１のパラメータ値−前記第２のパラメータ値−α１であると確定し、長類型である前記ＰＵＣＣＨの伝送時間長さが、前記目標時間ユニットの長さ／２よりも長い処理を実行し、
前記第１のチャネルが物理上り共有チャネルＰＵＳＣＨであり、且つ前記ＰＵＳＣＨの伝送長さの類型が短類型であると、前記目標時間ユニット内で、前記ＰＵＳＣＨの伝送時間長さ＝（前記目標時間ユニットの長さ／β）−前記第１のパラメータ値−α２であると確定する処理を実行し、
前記第１のチャネルがＰＵＳＣＨであり、且つ前記ＰＵＳＣＨの伝送長さの類型が長類型であると、前記目標時間ユニット内で、前記ＰＵＳＣＨの伝送時間長さ＝前記目標時間ユニットの長さ−前記第１のパラメータ値−前記第２のパラメータ値−α１であると確定し、長類型である前記ＰＵＳＣＨの伝送時間長さが、前記目標時間ユニットの長さ／２よりも長い処理を実行する、
請求項７に記載のネットワーク側装置。
【請求項９】
前記機器可読命令が、プロセッサによって実行される際に、さらに、
前記第１のパラメータの選択値集合から１つの値を選択して前記第１のパラメータ値とし、選択された前記第１のパラメータ値を指示する第１のビット識別子を、前記ＵＥに送信すること、及び／又は、下り制御情報ＤＣＩを伝送するのに占有する符号数、及び／又は下り測定参考信号の伝送に占有する符号数に基づいて、前記第２のパラメータの選択値集合から１つの値を選択して前記第２のパラメータ値とし、選択された前記第２のパラメータ値を指示する第２のビット識別子を、前記ＵＥに送信する処理を実行する、
請求項７また８に記載のネットワーク側装置。
【請求項１０】
前記目標時間ユニット内の前記第１のチャネルの伝送長さの類型をＵＥに通知する処理について、前記機器可読命令が、プロセッサによって実行される際に、
下り制御情報ＤＣＩによって、前記第１のチャネルの伝送長さの類型を指示する第３のビット識別子を前記ＵＥに送信する処理を実行する
請求項６〜９のいずれかに記載のネットワーク側装置。
【請求項１１】
プロセッサと、メモリと、バスとを備え、前記メモリが、前記プロセッサによって実行可能な機器可読命令を記憶し、前記プロセッサと前記メモリとが、バスを介して通信するUEであって、前記機器可読命令が、プロセッサによって実行される際に、
ネットワーク側装置が通知した目標時間ユニット内の第１のチャネルの伝送長さの類型を受信する処理と、
前記第１のチャネルの伝送長さの類型に基づいて、前記目標時間ユニット内で前記ネットワーク側装置とデータ伝送を行う処理と、を実行する、
ＵＥ。
【請求項１２】
前記第１のチャネルの伝送長さの類型に基づいて、前記目標時間ユニット内で前記ネットワーク側装置とデータ伝送を行う処理について、前記機器可読命令が、プロセッサによって実行される際に、
前記第１のパラメータ値および第２のパラメータ値の一方または両方と、前記第１のチャネルの伝送長さの類型とに基づいて、前記目標時間ユニット内の前記第１のチャネルを含む１つまたは複数のチャネルの伝送時間長さを確定し、前記第１のパラメータ値は、下り信号とその後最初の上り信号との間隔の最短時間長さを指示し、前記第２のパラメータ値が、前記目標時間ユニット内の下り伝送の最短時間長さと、前記目標時間ユニットでの前記下り伝送が開始する開始位置とを指示する処理と、
前記１つまたは複数のチャネルの伝送時間長さに基づいて、前記ネットワーク側装置とデータ伝送を行う処理と、を実行する、
請求項１１に記載のＵＥ。
【請求項１３】
前記第１のパラメータ値および第２のパラメータ値の一方または両方と、前記第１のチャネルの伝送長さの類型とに基づいて、前記目標時間ユニット内の前記第１のチャネルを含む１つまたは複数のチャネルの伝送時間長さを確定する処理について、前記機器可読命令が、プロセッサによって実行される際に、
前記第１のチャネルが物理下り共有チャネルＰＤＳＣＨであり、前記目標時間ユニットの次の時間ユニットが下りのためのものであり、且つ前記ＰＤＳＣＨの伝送長さの類型が長類型であると、前記目標時間ユニット内で、前記ＰＤＳＣＨの伝送時間長さ＝前記目標時間ユニット長さ−前記第２のパラメータ値−α１であると確定し、前記α１は０以上の定数であり、長類型であるＰＤＳＣＨの伝送時間長さが、前記目標時間ユニットの長さ／２よりも長い処理を実行し、
前記第１のチャネルがＰＤＳＣＨであり、前記目標時間ユニットの次の時間ユニットが上りのためのものであり、且つ前記ＰＤＳＣＨの伝送長さの類型が長類型であると、前記目標時間ユニット内で、前記ＰＤＳＣＨの伝送時間長さ＝前記目標時間ユニットの長さ−前記第１のパラメータ値−前記第２のパラメータ値−α１であると確定する処理を実行し、
前記第１のチャネルが物理下り共有チャネルＰＤＳＣＨであり、且つ前記ＰＤＳＣＨの伝送長さの類型が短類型であると、前記目標時間ユニット内で、短類型である前記ＰＤＳＣＨの伝送時間長さ＝（前記目標時間ユニット長さ／β）−前記第２のパラメータ−α２であると確定し、前記目標時間ユニット内で、短類型である物理上り制御チャネルＰＵＣＣＨの伝送時間長さ＝（前記目標時間ユニット長さ／β）−前記第１のパラメータ−α２であると確定し、βが２以上の定数であり、α２が０以上の定数である処理を実行し、
前記第１のチャネルがＰＵＣＣＨであり、且つ前記ＰＵＣＣＨの伝送長さの類型が長類型であると、前記目標時間ユニット内で、前記ＰＵＣＣＨの伝送時間長さ＝前記目標時間ユニットの長さ−前記第１のパラメータ値−前記第２のパラメータ値−α１であると確定し、長類型である前記ＰＵＣＣＨの伝送時間長さが、前記目標時間ユニットの長さ／２よりも長い処理を実行し、
前記第１のチャネルが物理上り共有チャネルＰＵＳＣＨであり、且つ前記ＰＵＳＣＨの伝送長さの類型が短類型であると、前記目標時間ユニット内で、前記ＰＵＳＣＨの伝送時間長さ＝（前記目標時間ユニットの長さ／β）−前記第１のパラメータ値−α２であると確定する処理を実行し、
前記第１のチャネルがＰＵＳＣＨであり、且つ前記ＰＵＳＣＨの伝送長さの類型が長類型であると、前記目標時間ユニット内で、前記ＰＵＳＣＨの伝送時間長さ＝前記目標時間ユニットの長さ−前記第１のパラメータ値−前記第２のパラメータ値−α１であると確定し、α１が０以上の定数であり、長類型である前記ＰＵＳＣＨの伝送時間長さが、前記目標時間ユニットの長さ／２よりも長い処理を実行する
請求項１２に記載のＵＥ。
【請求項１４】
前記機器可読命令が、プロセッサによって実行される際に、さらに、
前記ネットワーク側装置が送信した前記第１のパラメータ値を指示する第１のビット識別子を受信し、前記第１のビット識別子に基づいて、前記ネットワーク側装置が指示した前記第１のパラメータ値を第１のパラメータの選択値集合から確定する処理、及び／又は、前記ネットワーク側装置が送信した前記第２のパラメータ値を指示する第２のビット識別子を受信し、前記第２のビット識別子に基づいて、前記ネットワーク側装置が指示した前記第２のパラメータ値を前記第２のパラメータの選択値集合から確定する処理、を実行する、
請求項１２また１３に記載のＵＥ。
【請求項１５】
前記ネットワーク側装置が通知した前記目標時間ユニット内の第１のチャネルの伝送長さの類型を受信する処理について、前記機器可読命令が、プロセッサによって実行される際に、
前記ネットワーク側装置が下り制御情報ＤＣＩによって送信した、前記第１のチャネルの伝送長さの類型を指示する第３のビット識別子を受信する処理を実行する
請求項１１〜１４のいずれかに記載のＵＥ。
【発明の詳細な説明】
【技術分野】
【０００１】
本開示は２０１８年０３月２９日に中国国家知的財産権局（ＣＮＩＰＡ）に提出した出願番号が２０１８１０２７３９１３．９、発明の名称が「無線リソーススケジューリング方法、ネットワーク側装置及びユーザ装置」の中国特許出願に基づいて優先権を主張し、その全体が参照により本開示に組み込まれている。本開示は、無線リソーススケジューリング方法、ネットワーク側装置及びユーザ装置に関する。
【背景技術】
【０００２】
従来の第３世代パートナープロジェクト（３ｒｄ  Ｇｅｎｅｒａｔｉｏｎ  Ｐａｒｔｎｅｒ  Ｐｒｏｊｅｃｔ、３ＧＰＰ）のロングタームエボリューション（Ｌｏｎｇ  Ｔｅｒｍ  Ｅｖｏｌｕｔｉｏｎ、ＬＴＥ）システムにおいて、基地局とユーザ装置（Ｕｓｅｒ  Ｅｑｕｉｐｍｅｎｔ、ＵＥ）との間のデータ伝送は、通常、時分割複信（Ｔｉｍｅ  Ｄｉｖｉｓｉｏｎ  Ｄｕｐｌｅｘｉｎｇ、ＴＤＤ）フレーム構造に基づいて実現される。
【０００３】
基地局とＵＥとの通信において、基地局は、設定されたＴＤＤフレーム構造をセルにおけるＵＥに指示して、設定されたＴＤＤフレーム構造に基づいてＵＥと通信する。
【発明の概要】
【発明が解決しようとする課題】
【０００４】
本発明は、無線リソーススケジューリング方法、ネットワーク側装置及びユーザ装置を提供することを課題とする。
【課題を解決するための手段】
【０００５】
上記課題は、ネットワーク側装置が、第１のチャネルの伝送長さの類型を確定してユーザ装置（以下、「ＵＥ」）に通知し、ネットワーク側装置及びＵＥが、第１のチャネルの伝送長さの類型に基づいて、目標時間ユニット内でデータ伝送を行う無線リソーススケジューリング方法により解決される。
【０００６】
以下、本開示の例の技術案をより明確に説明するために、例に関する図面について簡単に説明する。また、以下の図面は、本開示の一部の例のみを示しており、その範囲を限定するものではないと理解すべきである。当業者は、創造的な働きをせずに、これらの図面に基づいて他の関連する図面を想到しうる。
【図面の簡単な説明】
【０００７】
【図１】図１はＴＤＤフレーム構造の構造模式図である。
【図２】図２は予め設定された６２種類のサブフレームフォーマットを示す構造模式図である。
【図３】図３は本開示の一例に係る無線リソーススケジューリング方法を示すフローチャートである。
【図４】図４は本開示のもう１つの例に係る無線リソーススケジューリング方法を示すフローチャートである。
【図５】図５は本開示の一例に係る１つのサブフレームにおけるスケジューリング伝送方式の例である。
【図６】図６は本開示の一例に係る１つのタイムスロットにおけるスケジューリング伝送方式の例である。
【図７】図７は本開示のさらに１つの例に係る無線リソーススケジューリング方法を示すフローチャートである。
【図８】図８は本開示のもう１つの例に係る無線リソーススケジューリング方法を示すフローチャートである。
【図９】図９は本開示のさらに１つの例に係る無線リソーススケジューリング方法を示すフローチャートである。
【図１０】図１０は本開示のさらにもう１つの例に係る無線リソーススケジューリング方法を示すフローチャートである。
【図１１】図１１は本開示の一例に係る無線リソーススケジューリング装置の模式図である。
【図１２】図１２は本開示のもう１つの例に係る無線リソーススケジューリング装置の模式図である。
【図１３】図１３は本開示の一例に係るネットワーク側装置の模式図である。
【図１４】図１４は本開示の一例に係るユーザ装置の模式図である。
【図１５】図１５は本開示の一例に係る無線リソーススケジューリング装置の模式図である。
【図１６】図１６は本開示のもう１つの例に係る無線リソーススケジューリング装置の模式図である。
【図１７】図１７は本開示のもう１つの例に係るネットワーク側装置の模式図である。
【図１８】図１８は本開示のもう１つの例に係るユーザ装置の模式図である。
【発明を実施するための形態】
【０００８】
当業者が本開示における技術案をより良く理解するように、まず、本開示の関連用語を説明する。本開示は、より易く説明するために、主に例を挙げて説明する。以下の説明では、本開示がより深く理解されるように、多数の詳細事項が列挙される。しかしながら、本開示がこれらの詳細事項に限定されることなく適用され得ることは明らかである。また、本開示の内容を不明瞭にしないように、方法や構造の一部については詳しく説明していない。本開示全体では、用語「含む」とは、含んでいるが限定されないことを意味し、用語「有する」とは、有しているが限定されないことを意味する。用語「基づく」とは、少なくとも一部がこれに基づいていることを意味する。また、用語「一」および「１つ」とは、特定要素のうちの少なくとも１つを示す旨である。
【０００９】
本開示の例におけるネットワーク側装置は、基地局又はネットワーク側の他の無線リソーススケジューリング能力を有するデバイスで良く、ユーザ装置（Ｕｓｅｒ  Ｅｑｕｉｐｍｅｎｔ、ＵＥ）は、携帯電話や、タブレット、又はノートパソコン等の任意の端末装置で良い。
【００１０】
図１は、電力無線プライベートネットワーク通信システムの１つのＴＤＤフレーム構造の模式図である。ここで、Ｄは、下り信号を伝送するための下りサブフレームを表し、Ｓは、スペシャルサブフレームを表し、Ｕは、上り信号を伝送するための上りサブフレームを表す。各サブフレームの持続時間は８ｍｓであり、１つの上りサブフレーム又は下りサブフレームは、それぞれ２つのタイムスロットに分けることができ、１つのスペシャルサブフレームは３つのスペシャルタイムスロット、即ち、下りパイロットタイムスロット（Ｄｏｗｎｌｉｎｋ  Ｐｉｌｏｔ  Ｔｉｍｅ  Ｓｌｏｔ、ＤｗＰＴＳ）、ガード区間（Ｇｕａｒｄ  Ｐｅｒｉｏｄ、ＧＰ）、及び上りパイロットタイムスロット（Ｕｐｌｉｎｋ  Ｐｉｌｏｔ  Ｔｉｍｅ  Ｓｌｏｔ、ＵｐＰＴＳ）を含む。なお、ロングタームエボリューション（Ｌｏｎｇ  Ｔｅｒｍ  Ｅｖｏｌｕｔｉｏｎ、ＬＴＥ）システムのデータ伝送には、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）技術が使用され、１つのタイムスロットは、７つのＯＦＤＭ符号からなる。
【００１１】
図１に示すフレーム構造において、各サブフレームの持続時間は８ｍｓであり、１つの下りサブフレームのハイブリット自動再送要求（Ｈｙｂｒｉｄ  Ａｕｔｏｍａｔｉｃ  Ｒｅｐｅａｔ  ｒｅＱｕｅｓｔ、ＨＡＲＱ）の時間は４０ｍｓ程度に達し、再送があれば伝送時間は倍増することが分かる。ＨＡＲＱのループバック時間を短縮するために、一例では、１つのサブフレームにおける上り符号及び下り符号を同時に設定してもよく、ネットワーク側装置は、図２に示すように、まず、予め設定された６２種類のサブフレームフォーマットから１つのサブフレームフォーマットを選択し、選択したサブフレームフォーマットをＵＥに指示することによって、ＵＥと基地局との間のデータ伝送を実現する。この場合、ネットワーク側装置は、６ビットを用いて、ＵＥに、具体的に予め設定された６２種類のサブフレームフォーマットのうちのどれを用いるべきかを指示する。
【００１２】
本開示の一例に係る無線リソーススケジューリング方法については、以下の例で詳しく説明する。
【００１３】
図３は、本開示の一例に係る無線リソーススケジューリング方法のフローチャートであり、当該無線リソーススケジューリング方法は以下のステップを含む。
【００１４】
Ｓ３０１では、ネットワーク側装置は、ユーザ装置（ＵＥ）に対して目標時間ユニット内の第１のチャネルの伝送長さの類型を確定する。
【００１５】
ここで、目標時間ユニットは、１つのサブフレームや１つのタイムスロット、または、２つのサブフレームを含むサブフレームグループのような他定義された時間ユニット長さであってもよい。一例では、第１のチャネルは、物理下り共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、物理上り制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）、物理上り共有チャネル（Ｐｈｙｓｉｃａｌ  Ｕｐｌｉｎｋ  Ｓｈａｒｅｄ  Ｃｈａｎｎｅｌ、ＰＵＳＣＨ）のうちの１種であってもよい。
【００１６】
なお、ネットワーク側装置は、現在の時間ユニットで現在の時間ユニットにおけるリソースをスケジューリングしてもよく、現在の時間ユニットで未来の任意の１つ又は複数の時間ユニットにおけるリソースをスケジューリングしてもよく、現在の時間ユニットで現在の時間ユニット及び未来の任意の１つ又は複数の時間ユニットにおけるリソースをスケジューリングしてもよい。すなわち、ここでの目標時間ユニットは、現在の時間ユニットであってもよく、未来のとある時間ユニットであってもよく、現在の時間ユニットと未来の時間ユニットとの組み合わせであってもよい。
【００１７】
Ｓ３０１では、ネットワーク側装置は、ＵＥとの間のデータ伝送の必要性に応じて、ＵＥに対して、目標時間ユニット内の第１のチャネルの伝送長さの類型を確定する。一例では、伝送長さの類型として、長類型と短類型との２つの類型が定義されている。一例では、１種類のチャネルデータを１つの時間ユニット内で伝送する必要があり、かつ伝送されるデータ量が多い場合は、長類型を採用し、２種類以上のチャネルデータを１つの時間ユニットで伝送する必要があり、かつ各種類のチャネル伝送のデータ量が少ない場合は、短類型を採用することができる。例えば、１つの時間ユニット内でそれぞれＰＤＳＣＨ伝送とＰＵＣＣＨ伝送とが行われていると、短類型を採用することができる。本開示の一例では、必要に応じて、３種類以上の伝送長さの類型を定義してもよい。それぞれの伝送長さの類型に対応する伝送時間長さは、予め定義されてもよく、第１のパラメータ値及び第２のパラメータ値の一方又は両方と、目標時間ユニットの長さとに応じて確定されてもよい。ここで、第１のパラメータ値は、下り信号とその後最初の上り信号との間隔の最短時間長さを指示し、第２のパラメータ値は、目標時間ユニット内での、下り伝送の最短時間長さと、前記目標時間ユニットでの前記下り伝送が開始する開始位置とを指示し、詳細については次の例で説明する。
【００１８】
Ｓ３０２では、ネットワーク側装置は、前記目標時間ユニット内の前記第１のチャネルの伝送長さの類型をＵＥに通知し、前記第１のチャネルの伝送長さの類型に基づいて、前記目標時間ユニット内で前記ＵＥとデータ伝送を行う。
【００１９】
それに対して、ＵＥは、ネットワーク側装置によって通知された目標時間ユニット内の第１のチャネルの伝送長さの類型を受信し、前記第１のチャネルの伝送長さの類型に基づいて、前記目標時間ユニット内で前記ネットワーク側装置とのデータ伝送を行う。
【００２０】
一例では、ネットワーク側装置は、下り制御情報（Ｄｏｗｎｌｉｎｋ  Ｃｏｎｔｒｏｌ  Ｉｎｆｏｒｍａｔｉｏｎ、ＤＣＩ）によって、前記伝送長さの類型を動的に指示してもよく、当該伝送長さの類型については、具体的に、ビット識別子を用いて指示してもよい。例えば、伝送長さの類型が２種類ある場合、１ビットのビット識別子０と１を用いて、それぞれ長類型と短類型を示すことができる。ネットワーク側装置は、当該伝送長さの類型が指示する伝送時間長さに基づいて、第１のチャネルでＵＥとデータ伝送を行う。ネットワーク側装置及びＵＥは、第１のチャネル以外、第１のチャネルの伝送長さの類型及びチャネル類型に基づいて、第２のチャネルの伝送の有無を確定することができる。例えば、第１のチャネルがＰＤＳＣＨであり、伝送長さの類型が短類型である場合、ネットワーク側装置及びＵＥは、第１のパラメータ値分の伝送時間長さが経過した後で、さらにＰＵＣＣＨの伝送が存在し、かつ伝送長さの類型は短類型であってもよいことを約束してデフォルトにする。
【００２１】
図４は、本開示のもう１つの例に係る無線リソーススケジューリング方法のフローチャートであり、当該無線リソーススケジューリング方法は以下のステップを含む。
【００２２】
Ｓ４０１では、ネットワーク側装置は、ＵＥに対して、目標時間ユニット内の第１のチャネルの伝送長さの類型を確定する。
【００２３】
Ｓ４０２では、ネットワーク側装置は、第１のパラメータ値及び第２のパラメータ値の一方又は両方と、前記第１のチャネルの伝送長さの類型とに基づいて、前記目標時間ユニット内での前記第１のチャネルを含む１つまたは複数のチャネルの伝送時間長さを確定する。
【００２４】
ここで、伝送時間長さの算出式は、チャネル類型毎に異なる。ネットワーク側装置は、第１のパラメータ値及び第２のパラメータ値の一方又は両方と、前記第１のチャネルの伝送長さの類型と、第１のチャネルのチャネル類型（例えば、後述するＰＤＳＣＨ、ＰＵＣＣＨ、ＰＵＳＣＨ）とに基づいて、目標時間ユニット内での第１のチャネルを含む１つまたは複数のチャネルの伝送時間長さを確定することができる。
【００２５】
１）前記第１のチャネルが物理下り共有チャネルＰＤＳＣＨであり、前記目標時間ユニットの次の時間ユニットが下りのためのものであり、且つ前記ＰＤＳＣＨの伝送長さの類型が長類型であると、前記目標時間ユニット内で、前記ＰＤＳＣＨの伝送時間長さ＝前記目標時間ユニット長さ−前記第２のパラメータ値−α１であると確定し、α１は０以上の定数であり、異なる業務状況に適応するように、α１によりＰＤＳＣＨの長さを調整することができる。長類型であるＰＤＳＣＨの伝送時間長さは、前記目標時間ユニットの長さ／２よりも長い。
【００２６】
ここで、目標時間ユニットの長さは、ベース時間の整数倍である。例えば、１つのＯＦＤＭ符号をベース時間として、目標時間ユニットの長さはＮ個のＯＦＤＭ符号であり、１つのサブフレームが１つの時間ユニットである場合、Ｎ＝１４であり、１つのタイムスロットが１つの時間ユニットである場合、Ｎ＝７である。
【００２７】
時間ユニットを１つのサブフレームとする例として、図５に示すように、第１のパラメータ値＝２（ＯＦＤＭ符号数）、第２のパラメータ値＝２、α１＝０であり、方式１では、１つの時間ユニットで１つのチャネル類型が伝送され、この伝送されるチャネル類型はＰＤＳＣＨであり、既知のフレーム構造において、現在のサブフレームの次のサブフレームは下りであり、伝送長さの類型は長類型であり、この場合、ＰＤＳＣＨの伝送時間長さ＝１４−２−０＝１２である。
【００２８】
ここで、伝送されるチャネル類型は、下り制御情報ＤＣＩによって直接指示されてもよく、または、異なるチャネル類型に対応するＤＣＩペイロードのビット数が異なるため、ＵＥは、ＤＣＩペイロードのビット数によりチャネル類型を確定してもよく、この場合、ＤＣＩの間接的な指示によってチャネル類型を確定することに相当する。一例では、ＰＤＳＣＨの次の伝送チャネルがＰＵＣＣＨであるため、ＰＵＣＣＨは、前のチャネル類型により判断することができ、必要なのはＰＤＳＣＨとＰＵＳＣＨとを区別することだけである。ここで、これら２つの異なるチャネル類型は、ＤＣＩで異なるビット識別子により指示されてもよく、ＤＣＩで指示されなく、ＵＥが下り復号に占めるビット数に基づいて確定されてもよい。
【００２９】
なお、前記目標時間ユニットの次の時間ユニットの伝送の類型が上りであるか下りであるかについては、前記ネットワーク側装置と前記ＵＥとの間にデータ伝送を行う時分割複信（Ｔｉｍｅ  Ｄｉｖｉｓｉｏｎ  Ｄｕｐｌｅｘｉｎｇ、ＴＤＤ）フレーム構造に基づいて確定され、当該ＴＤＤフレーム構造は、ネットワーク側装置がこのセル内のＵＥに対して設定するものである。
【００３０】
上記の説明から分かるように、ネットワーク側装置は１ビットを用いるだけで、ＵＥ目標時間ユニット内の上り／下り設定方式を指示することができる。例えば、ＤＣＩで１ビットを用いてＵＥに対して目標時間ユニット内のチャネルの伝送長さの類型を指示し、ＵＥは当該伝送長さの類型に基づいて、既知の第１のパラメータ値、第２のパラメータ値、フレーム構造、及び下り復号により確認されたチャネル類型を組み合わせて、目標時間ユニット内の上り／下り設定方式を確定することができるため、シグナリングオーバーヘッドが小さい。
【００３１】
２）前記第１のチャネルがＰＤＳＣＨであり、前記目標時間ユニットの次の時間ユニットが上りのためのものであり、且つ、前記ＰＤＳＣＨの伝送長さの類型が長類型であると、前記目標時間ユニット内で、前記ＰＤＳＣＨの伝送時間長さ＝前記目標時間ユニットの長さ−前記第１のパラメータ値−前記第２のパラメータ値−α１であることが確定される。
【００３２】
まだ時間ユニットが１つのサブフレームであることを例として、図５に示すように、方式２では、１つの時間ユニット内で依然として、１種類のチャネル類型が伝送され、ＰＤＳＣＨであり、既知のフレーム構造では、現在のサブフレームの次のサブフレームが上りであり、伝送長さの類型が長類型であり、この場合、ＰＤＳＣＨの伝送時間長さ＝１４−２−２−０＝１０である。
【００３３】
３）前記第１のチャネルが物理下り共有チャネルＰＤＳＣＨであり、且つ、前記ＰＤＳＣＨの伝送長さの類型が短類型であると、前記目標時間ユニット内で、短類型である前記ＰＤＳＣＨの伝送時間長さ＝（前記目標時間ユニット長さ／β）−前記第２のパラメータ−α２であり、前記目標時間ユニット内で、短類型である物理上り制御チャネルＰＵＣＣＨの伝送時間長さ＝（前記目標時間ユニット長さ／β）−前記第１のパラメータ−α２であると確定し、ここで、βは２以上の定数であり、α２は０以上の定数である。
【００３４】
ここで、βを２以上に設定することで、１つの時間ユニット内で２つ以上のチャネルの伝送が可能となる。α２は、上記α１と同じであっても異なっていてもよい。
【００３５】
図５に示すように、方式３では、１つの時間ユニット内で２つのチャネル類型が伝送され、β＝２、α２＝０であり、伝送される２つのチャネル類型がＰＤＳＣＨとＰＵＣＣＨであり、伝送長さの類型が短類型であり、この場合、ＰＤＳＣＨの伝送時間長さ＝（１４／２）−２−０＝５であり、対応するように、ＰＵＣＣＨの伝送時間長さ＝（１４／２）−２−０＝５である。方式３では、ＰＤＳＣＨに対応するＨＡＲＱ応答（Ａｃｋｎｏｗｌｅｄｇｅｍｅｎｔ、ＡＣＫ）情報を現在のサブフレームのＰＵＣＣＨでフィードバックすることができる。
【００３６】
４）前記第１のチャネルがＰＵＣＣＨであり、且つ、前記ＰＵＣＣＨの伝送長さの類型が長類型であると、前記目標時間ユニット内で、前記ＰＵＣＣＨの伝送時間長さ＝前記目標時間ユニットの長さ−前記第１のパラメータ値−前記第２のパラメータ値−α１であり、長類型である前記ＰＵＣＣＨの伝送時間長さは、前記目標時間ユニットの長さ／２よりも長い。
【００３７】
図５に示すように、方式４では、１つの時間ユニット内で１つのチャネル類型が伝送され、この伝送されるチャネル類型はＰＵＣＣＨであり、伝送長さの類型は長類型であり、ここでの長類型は、現在のサブフレームの前のサブフレーム（例えば、現在のサブフレームの１つ前のサブフレーム）をスケジューリングするＤＣＩにて指示されてもよい。ここで、上記指示されることは、明示的に指示されること、即ち前のサブフレームのＤＣＩにおいて現在のサブフレームにおけるＰＵＣＣＨが長類型であることが指示されることであってもよく、または、暗黙的に指示されること、例えば前のサブフレームのＤＣＩにおいて現在のサブフレームの１つ前のサブフレームのＰＤＳＣＨが長類型であることのみが指示されることであってもよく、ネットワーク側装置とＵＥは、ＰＤＳＣＨに対応して上りフィードバックを行うＰＵＣＣＨも長類型であることを約束してもよい。この場合、ＰＵＣＣＨの伝送時間長さ＝１４−２−２−０＝１０である。方式４では、ＰＵＣＣＨは、現在のサブフレームの前のサブフレームにおけるＤＣＩによってスケジューリングされる。方式４によれば、方式１及び方式２におけるＰＤＳＣＨ情報に対して、上りフィードバックを行うことができる。他にも、チャネル品質情報（Ｃｈａｎｎｅｌ  Ｓｔａｔｅ  Ｉｎｆｏｒｍａｔｉｏｎ、ＣＳＩ）、リファレンス信号（Ｒｅｆｅｒｅｎｃｅ  Ｓｉｇｎａｌ、ＲＳ）等の上り制御情報をフィードバックしてもよい。
【００３８】
５）前記第１のチャネルが物理上り共有チャネルＰＵＳＣＨであり、且つ、前記ＰＵＳＣＨの伝送長さの類型が短類型であると、前記目標時間ユニット内で、前記ＰＵＳＣＨの伝送時間長さ＝（前記目標時間ユニットの長さ／β）−前記第１のパラメータ値−α２であると確定し、α２は０以上の定数あり、α２に基づいてＰＵＳＣＨの長さを調整することができる。
【００３９】
図５に示すように、方式５では、１つの時間ユニット内で１つのチャネル類型が伝送され、伝送されるチャネル類型がＰＵＳＣＨであり、伝送長さの類型が短類型であり、この場合、ＰＵＳＣＨの伝送時間長さ＝（１４／２）−２−０＝５である。
【００４０】
６）前記第１のチャネルがＰＵＳＣＨであり、且つ、前記ＰＵＳＣＨの伝送長さの類型が長類型であると、前記目標時間ユニット内で、前記ＰＵＳＣＨの伝送時間長さ＝前記目標時間ユニットの長さ−前記第１のパラメータ値−前記第２のパラメータ値−α１であると確定し、長類型である前記ＰＵＳＣＨの伝送時間長さは、前記目標時間ユニットの長さ／２よりも長い。
【００４１】
図５に示すように、方式６および方式７では、１つの時間ユニット内で１つのチャネル類型が伝送され、この伝送されるチャネル類型はＰＵＳＣＨであり、伝送長さの類型は長類型であり、この場合、ＰＵＳＣＨの伝送時間長さ＝１４−２−２−０＝１０である。方式６と方式７との違いは、方式６では、ＰＵＳＣＨが現在のサブフレームのＤＣＩにスケジューリングされ、方式７では、ＰＵＳＣＨが現在のサブフレームの前のサブフレームのＤＣＩにスケジューリングされることである。
【００４２】
Ｓ４０３では、ネットワーク側装置は、１つまたは複数のチャネルの伝送時間長さに基づいて、前記ＵＥとデータ伝送を行う。
【００４３】
ここで、ネットワーク側装置は、上記方式１〜７のいずれかに示される１つ又は複数のチャネルの伝送時間長さと、予め定義された伝送開始位置とに基づいて、前記ＵＥとデータ伝送を行う。例えば、方式１〜３では、ＰＤＳＣＨの伝送開始位置がＤＣＩが終了する位置であり、方式４における伝送開始位置が、前記第１のパラメータ値＋前記第２のパラメータ値＋α１であり、方式５における伝送開始位置が、時間ユニット長さ−（前記目標時間ユニット長さ／β）＋前記第１のパラメータ値＋α２であり、方式６及び方式７における伝送開始位置が、前記第１のパラメータ値＋前記第２のパラメータ値＋α１である。
【００４４】
図５では、時間ユニットが１つのサブフレームであることを例として説明したが、次には、当該時間ユニットがタイムスロットであることを例として説明する。図６に示すように、第１のパラメータ値＝２（ＯＦＤＭ符号数）、第２のパラメータ値＝１、α１＝０であり、方式１では、伝送されるチャネル類型はＰＤＳＣＨであり、既知のフレーム構造において、現在のサブフレームの次のサブフレームが下りであり、伝送長さの類型が長類型であり、この場合、ＰＤＳＣＨの伝送時間長さ＝７−１−０＝６である。方式２では、伝送するチャネル類型はＰＤＳＣＨであり、既知のフレーム構造において、現在のサブフレームの次のサブフレームは上り、伝送長さの類型は長類型であり、この場合、ＰＤＳＣＨの伝送時間長さ＝７−２−１−０＝４である。方式３では、伝送されるチャネル類型がＰＤＳＣＨとＰＵＣＣＨであり、伝送長さの類型は短類型であり、この場合、ＰＤＳＣＨの伝送時間長さ＝（７/２）−１−０＝２であり、対応するように、ＰＵＣＣＨの伝送時間長さ＝（７/２）−１−０＝２である。方式４では、伝送れるチャネル類型がＰＵＣＣＨであり、伝送長さの類型は長類型であり、この場合、ＰＵＣＣＨの伝送時間長さ＝７−２−１−０＝４である。方式４では、ＰＵＣＣＨは、現在のタイムスロットの前のタイムスロットにおけるＤＣＩにスケジューリングされる。方式５では、伝送されるチャネル類型がＰＵＳＣＨ、伝送長さの類型が短類型であり、この場合、ＰＵＳＣＨの伝送時間長さ＝（７/２）−２−０＝２である。方式６及び方式７では、伝送されるチャネル類型がＰＵＳＣＨ、伝送長さの類型が長類型であり、この場合、ＰＵＳＣＨの伝送時間長さ＝７−２−１−０＝４である。
【００４５】
一例では、上記第１のパラメータ値と上記第２のパラメータ値は、プロトコルで定義されてもよく、ネットワーク側装置に確定された後、ＵＥに指示されてもよい。また、ネットワーク側装置は、まず、１つの第１のパラメータの選択値集合（当該第１のパラメータの選択値集合は、プロトコルで定義されてもよい）を確定し、その後、当該選択値集合からＵＥに対して第１のパラメータ値を選択してもよい。ここで、上記選択値集合における各第１のパラメータ値は、それと対応するビット識別子が存在し、ネットワーク側装置は、当該第１のパラメータ値と対応するビット識別子をＵＥに送信し、ＵＥは、当該ビット識別子に基づいて第１のパラメータ値を確定することができ、これにより、シグナリングオーバーヘッドが節約される。同様に、ネットワーク側装置は、まず、１つの第２のパラメータの選択値集合（当該当第１のパラメータの選択値集合もプロトコルで定義されてもよい）を確定し、その後、当該選択値集合から第２のパラメータ値を選択し、当該第２のパラメータ値と対応するビット識別子をＵＥに送信し、ＵＥは、当該ビット識別子に基づいて第２のパラメータ値を確定することができる。詳細については次の例で説明する。
【００４６】
図７に示すように、本開示のさらに１つ例に係る無線リソーススケジューリング方法のフローチャートであって、当該リソーススケジューリング方法は以下のステップを含む。
【００４７】
Ｓ７０１ａでは、ネットワーク側装置は、第１のパラメータの選択値集合を確定し、当該選択値集合をＵＥに送信する。第１のパラメータは、下り信号とその後最初上り信号との間隔の最短時間長さを指示するパラメータである。
【００４８】
ここで、ネットワーク側装置が第１のパラメータの選択値集合を確定することは、ネットワークの管理者が入力した選択値集合を受信することであってもよい、即ち、第１のパラメータの選択値集合が経験による予め設定されたものであってもよい。加えて、ネットワーク側装置は、セルカバレッジ距離及び統計したセル内の各ＵＥの処理時間に基づいて、当該第１のパラメータの選択値集合を確定し、セル内のＵＥにまとめて送信してもよい。ＵＥの処理時間は、下りチャネルを受信復号するのに必要な時間、上り送信信号を生成するのに必要な時間、および下り受信から上り送信に切り替えるのに必要な時間のうちの少なくとも１つを含む。
【００４９】
Ｓ７０２ａでは、ネットワーク側装置は、ＵＥに対して、第１のパラメータの選択値集合から１つの値を選択して第１のパラメータ値とする。
【００５０】
一例では、ネットワーク側装置は、セルカバレッジ距離及びＵＥの処理時間に基づいて、ＵＥに対して、第１のパラメータの選択値集合から１つの値を選択する。
【００５１】
ここでのＵＥは、１つのＵＥであってもよく、一グループのＵＥであってもよく、セル内の全てのＵＥであってもよい。ネットワーク側装置が一グループのＵＥ又はセル内の全てのＵＥに対して第１のパラメータ値をまとめて設定する場合、当該グループのＵＥ又はセル内のＵＥのうち処理能力が最も低いＵＥの処理時間に基づいて、当該グループのＵＥ又はセル内のＵＥに対して第１のパラメータ値を選択することができる。
【００５２】
例えば、処理能力の差が大きくない一グループのＵＥに対して、本開示の例は、セルカバレッジ距離と、当該グループのＵＥのうちの処理能力が最も低いＵＥの処理時間とに基づいて、上記第１のパラメータの選択値集合から、当該グループのＵＥの第１のパラメータ値を選択することができる。異なるＵＥの間、又は異なるＵＥグループの間の処理能力の差が大きい場合、ネットワーク側装置は、異なるＵＥ又はＵＥグループに対して、上記の第１のパラメータの選択値集合から、それぞれに第１のパラメータ値を選択してもよい。
【００５３】
Ｓ７０３ａでは、ネットワーク側装置は、選択された前記第１のパラメータ値を指示する第１のビット識別子をＵＥに送信する。
【００５４】
ここで、ネットワーク側装置は、第１のビット識別子を上記１つのＵＥ又は一グループのＵＥ又はセル内のＵＥに送信し、当該１つのＵＥ又は一グループのＵＥ又はセル内のＵＥは、当該第１のビット識別子に基づいて、第１のパラメータの選択値集合から当該第１のパラメータ値を確定する。詳細はＳ７０４ａを参照する。
【００５５】
Ｓ７０４ａでは、ＵＥは、ネットワーク側装置が送信した前記第１のパラメータ値を指示する第１のビット識別子を受信した後、前記第１のビット識別子に基づいて、前記第１のパラメータの選択値集合から、前記ネットワーク側装置が指示した第１のパラメータ値を確定する。
【００５６】
例えば、第１のパラメータの１０進数選択値集合は｛１，４，７，１１｝であり、対応する２進数ビット識別子集合は｛００，０１，１０，１１｝であり、集合におけるビット識別子は、それぞれ、上記の選択値集合におけるパラメータ値を指示する。ネットワーク側装置がＵＥに対して選択した第１のパラメータ値は１０進数で１１（２進数で１０１１に対応する）であり、当該第１のパラメータ値に対応する第１のビット識別子が２進数で１１であることが確定される。第１のパラメータ値を指示するために第１のビット識別が使用されない場合、第１のパラメータ値は、４ビットで指示されてもよい。
【００５７】
Ｓ７０１ｂでは、ネットワーク側装置は、第２のパラメータの選択値集合を確定し、第２のパラメータの選択値集合をＵＥに送信する。
【００５８】
ネットワーク側装置は、さらに、「目標時間ユニット内での、下り伝送の最短時間長さと、前記目標時間ユニットでの前記下り伝送が開始する開始位置と」を指示するための第２のパラメータの選択値集合を確定してもよい。ここで、ネットワーク側装置が第２のパラメータの選択値集合を確定することは、ネットワークの管理者の入力した選択値集合を受信することであってもよく、即ち、当該選択値集合は経験による予め設定されたものであってもよい。加えて、ネットワーク側装置は、セル内の各ＵＥがＤＣＩを伝送するのに占有する符号数及び／又は下り測定参照信号を伝送するのに占有する符号数を統計することで、上記の選択値集合を得てもよく、後続のＵＥがネットワーク側装置が指示した、第２のビット識別子を受信した後、当該選択値集合から対応する第２のパラメータ値を見つけるように、当該第２のパラメータの選択値集合をセル内のＵＥにまとめて送信してもよい。
【００５９】
Ｓ７０２ｂでは、ネットワーク側装置は、前記第２のパラメータの選択値集合から１つの値を選択してＵＥに指示する第２のパラメータ値とする。
【００６０】
ここで、ネットワーク側装置は、現在ＵＥが下り制御情報ＤＣＩを伝送するのに占有する符号数及び／又は下り測定参照信号を伝送するのに占有する符号数に基づいて、第２のパラメータの選択値集合から当該ＵＥに対して第２のパラメータ値を選択する。
【００６１】
Ｓ７０３ｂでは、ネットワーク側装置は、前記第２のパラメータの選択値集合から選択された第２のパラメータ値を指示する第２のビット識別子を前記ＵＥに送信する。
【００６２】
Ｓ７０４ｂでは、ＵＥは、ネットワーク側装置が送信した前記第２のパラメータ値を指示する第２のビット識別子を受信した後、前記第２のビット識別子に基づいて、前記ネットワーク側装置が指示した第２のパラメータ値を前記第２のパラメータの選択値集合から確定する。
【００６３】
例えば、第２のパラメータの１０進数選択値集合が｛０，１，２，３｝であり、対応する２進数のビット識別子の集合が｛００，０１，１０，１１｝である場合、値が１０進数で３である第２のパラメータ値に対しては、ネットワーク側装置が上記識別子集合の２進数である１１をＵＥに指示するだけでよい。
【００６４】
Ｓ７０５では、ネットワーク側装置は、ＵＥに対して、目標時間ユニット内の第１のチャネルの伝送長さの類型を確定し、前記目標時間ユニット内の前記第１のチャネルの伝送長さの類型をＵＥに通知する。
【００６５】
Ｓ７０６では、ネットワーク側装置及びＵＥは、第１のパラメータ値及び第２のパラメータ値の一方又は両方と、第１のチャネルの伝送長さの類型とに基づいて、目標時間ユニット内での、第１のチャネルを含む１つまたは複数のチャネルの伝送時間長さを確定する。
【００６６】
Ｓ７０７では、ネットワーク側装置とＵＥは、１つまたは複数のチャネルの伝送時間長さに基づいて、データ伝送を行う。
【００６７】
上記の例で説明した第１のパラメータ値及び第２のパラメータ値は、プロトコルで予め定義されてもよく、ネットワーク側装置で確定されてＵＥに通知されてもよい。ネットワーク側装置の第１のパラメータ値と第２のパラメータ値の確定と配信の過程については、以下の一例でさらに説明する。
【００６８】
図８に示すように、本開示のもう１つの例に係る無線リソーススケジューリング方法のフローチャートであり、当該無線リソーススケジューリング方法は以下のステップを含む。
【００６９】
Ｓ８０１では、ネットワーク側装置は、第１のパラメータ値を確定し、第１のパラメータ値は、下り信号とその後最初の上り信号との間隔の最短時間長さを指示する。
【００７０】
ここで、下り信号と後の上り信号との間を効果的に分離してクロストークを防ぐために、下り信号とその後最初の上り信号との間にアイドル信号が設定され、第１のパラメータ値は、下り信号とその後最初の上り信号との間隔を指示するアイドル信号の最短時間長さである。一例では、ＵＥが上り信号フィードバック（ＰＵＣＣＨ伝送）を行う、又は上りデータ（ＰＵＳＣＨ伝送）を伝送する場合、その前の下り受信の時間との間隔であるアイドル時間長さは、上記第１のパラメータ値以上であってもよい。
【００７１】
Ｓ８０２では、ネットワーク側装置は、第１のパラメータ値をＵＥに指示する。
【００７２】
一例では、Ｓ８０１において、ネットワーク側装置が第１のパラメータ値を確定することは、ネットワーク側装置がユーザの入力した第１のパラメータを受信することであってもよく、ネットワーク側装置が自動計算処理で取得することであってもよい。第１のパラメータ値が自動計算で取得される場合、ネットワーク側装置は、セルカバレッジ距離及びＵＥの処理時間に基づいて、上記の第１のパラメータ値を確定することができる。ここで、セルカバレッジ距離は、セル計画時に確定されたカバレッジ半径、例えば１．５ｋｍであってもよい。ＵＥの処理時間は、ＵＥの処理能力を反映し、主に、ＵＥが下りチャネルを受信復号するのに必要な時間、上り送信信号を生成するのに必要な時間、下り受信から上り送信に切り替えるのに必要な時間の３つのうちの１つまたは複数を含む。
【００７３】
なお、ネットワーク側装置は、セル内の複数のＵＥに同じ第１のパラメータ値を設定してもよく、異なるＵＥに異なる第１のパラメータ値を設定してもよい。例えば、処理能力の差が大きくない一グループのＵＥに対して、本開示の例では、セルカバレッジ距離に基づいて、当該グループのＵＥに対して１つの第１のパラメータ値をまとめて設定してもよい。異なるＵＥ間、又は異なるＵＥグループ間で処理能力の差が大きい場合、ネットワーク側装置は、異なるＵＥ又はＵＥグループに異なる第１のパラメータ値を設定してもよい。
【００７４】
なお、ネットワーク側装置は、以下のような１つのまたは複数のメッセージの形で上記第１のパラメータ値をＵＥに指示する。
【００７５】
上記メッセージの形は、システムメッセージ、ＵＥ専用上位層メッセージ（Ｓｐｅｃｉｆｉｃ  Ｈｉｇｈｅｒ−Ｌａｙｅｒ  Ｓｉｇｎａｌｉｎｇ）、セル専用物理層制御情報（Ｃｅｌｌ−Ｓｐｅｃｉｆｉｃ  Ｐｈｙｓｉｃａｌ  Ｌａｙｅｒ  Ｃｏｎｔｒｏｌ  Ｉｎｆｏｒｍａｔｉｏｎ）、ユーザグループ専用物理層制御情報（ＵＥ−ｇｒｏｕｐ−Ｓｐｅｃｉｆｉｃ  Ｐｈｙｓｉｃａｌ  Ｌａｙｅｒ  Ｃｏｎｔｒｏｌ  Ｉｎｆｏｒｍａｔｉｏｎ）、ＵＥ専用物理層制御情報（ＵＥ−Ｓｐｅｃｉｆｉｃ  Ｐｈｙｓｉｃａｌ  Ｌａｙｅｒ  Ｃｏｎｔｒｏｌ  Ｉｎｆｏｒｍａｔｉｏｎ）を含む。
【００７６】
ここで、システムメッセージは、ブロードキャストで送信されてもよく、例えば、情報伝送の信頼性を向上させるために、ＵＥ専用上位層メッセージまたはＵＥ専用物理層制御情報（例えば、下り制御情報ＤＣＩ）を用いることができる。ここで、ＵＥが第１のパラメータ値を受信した後、パラメータ値を有効に維持したい時間の長さに基づいて、上位層メッセージを用いるか、それとも物理層制御メッセージを用いるかを確定してもよい。前者の場合有効の時間が長く維持され、後者の場合有効の時間が短く維持される。セル内のＵＥに対して第１のパラメータ値をまとめて設定する場合、セル専用物理層制御情報を用いることができ、セル内のＵＥグループに対して第１のパラメータ値をまとめて設定する場合、ユーザグループ専用物理層制御情報を用いることができる。
【００７７】
Ｓ８０３では、ＵＥは、ネットワーク側装置が指示した第１のパラメータ値を受信する。
【００７８】
Ｓ８０４では、ネットワーク側装置とＵＥは、第１のパラメータ値に基づいて、データ伝送を行う。
【００７９】
ここで、ＵＥは、ネットワーク側装置が指示した第１のパラメータ値に基づいて、下り信号とその後最初の上り信号との間隔の最短時間長さを確定する。ＰＵＣＣＨ伝送又はＰＵＳＣＨ伝送が行われる一例では、上り送信の時間とその前の下り受信の時間との間隔の時間長さが上記第１のパラメータ値以上になるように制御してもよい。同時に、ネットワーク側装置は、前記第１のパラメータ値に基づいて、上り受信の準備を行うこともできる。
【００８０】
本開示の例では、第１のパラメータ値を確定する前に、さらに、第１のパラメータの選択値集合も確定し、第１のパラメータの選択値集合をＵＥに送信してもよい。第１のパラメータの選択値集合は、システムメッセージ、ＵＥ専用上位層メッセージ、セル専用物理層制御情報、ユーザグループ専用物理層制御情報、ＵＥ専用物理層制御情報のうちの１つまたは複数を用いてＵＥに送信してもよい。
【００８１】
本開示の例では、経験により第１のパラメータの選択値集合を設定してもよく、セルカバレッジ距離や、統計されたセル内の各ＵＥの処理時間区間に基づいて、第１のパラメータに対応する選択値集合を確定してもよい。
【００８２】
データ伝送の際に、ネットワーク側装置は、ＵＥのセルカバレッジ距離及び処理時間に基づいて、第１のパラメータの選択値集合から、ＵＥに指示する第１のパラメータ値として値を選択し、当該第１のパラメータ値を指示する第１のビット識別子をＵＥに送信することができる。ＵＥは、当該第１のビット識別子を受信した後、予め定義されたマッピング規則によって、第１のビット識別子が対応する第１のパラメータ値を、受信された第１のパラメータの選択値集合から検索してもよい。ここで、予め定義されたマッピング規則は、例えばビット識別子が、００、０１、１０、１１のように小さい順に並べられ、それぞれ第１のパラメータの選択値集合のうちの小さい順に並べられたパラメータの値に対応することである。或いは、ネットワーク側装置は第１のパラメータの選択値集合をＵＥに送信すると同時に、第１のパラメータの選択値集合とビット識別子とのマッピング関係をＵＥ送信してもよい。ビット識別子の指示ビット数は、一般に、第１のパラメータの選択値集合におけるパラメータ値のビット数よりも小さいため、この方式では、動的スケジューリング段階におけるシグナリングオーバーヘッドを節約することができる。
【００８３】
本開示の例では、下り信号とその後最初の上り信号との間隔の最短時間長さだけではなく、下り伝送の最短時間長さも柔軟に設定できる。一例では、上記無線リソーススケジューリング方法は、第２のパラメータ値を確定し、当該第２のパラメータ値をＵＥに指示することもできる。第２のパラメータ値は、１つの時間ユニット内での、下り伝送の最短時間長さと、１つの時間ユニットでの下り伝送が開始する開始位置とを指示する。詳細については次の例で説明する。
【００８４】
図９に示すように、本開示のさらに１つの例に係る無線リソーススケジューリング方法のフローチャートであって、当該無線リソーススケジューリング方法は以下のステップを含む。
【００８５】
Ｓ９０１では、ネットワーク側装置は、第２のパラメータ値を確定し、第２のパラメータ値は、１つの時間ユニット内での、下り伝送の最短時間長さと、時間ユニットでの下り伝送が開始する開始位置とを指示する。
【００８６】
ここで、ネットワーク側装置は、ネットワークの管理者が入力した第２のパラメータ値を受信してもよく、下り制御情報（Ｄｏｗｎｌｉｎｋ  Ｃｏｎｔｒｏｌ  Ｉｎｆｏｒｍａｔｉｏｎ、ＤＣＩ）を伝送するのに占有する符号数及び下り測定参照信号を伝送するのに占有する符号数に基づいてネットワーク側装置が確定することであってもよい。上記符号数は、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）符号の数を指してもよい。
【００８７】
Ｓ９０２では、ネットワーク側装置は、第２のパラメータ値をＵＥに指示する。
【００８８】
Ｓ９０３では、ＵＥは、ネットワーク側装置が指示した第２のパラメータ値を受信する。
【００８９】
Ｓ９０４では、ネットワーク側装置及びＵＥは、第２のパラメータ値に基づいて、データ伝送を行う。
【００９０】
ここで、ＵＥは、ネットワーク側装置が指示した第２のパラメータ値に基づいて、１つのサブフレーム又は１つのタイムスロット又は他の時間ユニット内の下り伝送の最短時間長さを確定し、動的スケジューリング段階において、下り信号が占有する伝送時間長さは、上記第２のパラメータ値以上であってもよい。
【００９１】
本開示の一例では、ネットワーク側装置は、異なるメッセージの形に基づいて上記第２のパラメータ値をＵＥに指示することができる。例えば、システムメッセージ、ＵＥ専用上位層メッセージ、セル専用物理層制御情報、ユーザグループ専用物理層制御情報、ＵＥ専用物理層制御情報等のうちの１つまたは複数のメッセージの形で第２のパラメータ値をＵＥに指示することができる。
【００９２】
本開示の一例では、第２のパラメータ値を確定する前に、さらに、第２のパラメータの選択値集合を確定することができ、ネットワーク側装置が第２のパラメータの選択値集合を確定することは、ネットワーク側装置がネットワークの管理者が入力した第２のパラメータの選択値集合を受信することであってもよい、即ち、当該第２のパラメータの選択値集合は経験により定義されてもよい。加えて、ネットワーク側装置は、ＵＥがＤＣＩを伝送するのに占有する符号数及び／又は下り測定参照信号を伝送するのに占有する符号数に基づいて、上記第２のパラメータの選択値集合を確定してもよい。ネットワーク側装置は、１つのＵＥに対して１つの第２のパラメータ値を選択してもよく、一グループのＵＥ又はセル内の全てのＵＥに対して１つの第２のパラメータ値をまとめて選択してもよい。一グループのＵＥまたはセル内のＵＥに対して第２のパラメータ値をまとめて選択するとき、一グループのＵＥまたはセル内のすべてのＵＥがＤＣＩを伝送するのに占有する符号数の最大値、及び／又は下り測定参考信号を伝送するのに占有する符号数の最大値に基づいて、第２のパラメータの選択値集合から１つの値を選択して第２のパラメータ値としてもよい。
【００９３】
なお、第２のパラメータの選択値集合を確定した後に、当該選択値集合を、ＵＥに送信してよい。第２のパラメータの選択値集合は、システムメッセージ、ＵＥ専用上位層メッセージ、セル専用物理層制御情報、ユーザグループ専用物理層制御情報、ＵＥ専用物理層制御情報のうちの１つまたは複数で送信されてもよい。データの伝送が必要な場合、ネットワーク側装置は、必要に応じて、第２のパラメータの選択値集合から１つの値を選択してＵＥに指示する第２のパラメータ値とし、当該第２のパラメータ値を指示する第２のビット識別子をＵＥに送信することができる。ＵＥは、当該第２のビット識別子を受信した後に、予め定義されたマッピング規則に基づいて、当該第２のビット識別子に対応する第２のパラメータ値を、受信された第２のパラメータの選択値集合から検索する。ここで、予め定義されたマッピング規則は、例えばビット識別子が、００、０１、１０、１１のように小さい順に並べられ、それぞれ第２のパラメータの選択値集合のうちの小さい順に並べられたパラメータの値に対応することである。或いは、ネットワーク側装置は、第２のパラメータの選択値集合をＵＥに送信すると同時に、第２のパラメータの選択値集合とビット識別子との間のマッピング関係をＵＥに送信してもよい。これで分かるように、本開示の例では、上記第１のパラメータ値及び／又は第２のパラメータ値は、静的な方式でプロトコルにおいて定義されてもよく、ネットワーク側装置によって確定された後に動的にＵＥに通知してもよく、半静的な方式で、選択値集合を予め定義しておき、ＵＥに対して選択値集合から１つの値を選択し、動的に指示してもよい。
【００９４】
上記の例では、ネットワーク側装置は、第１のパラメータ値及び第２のパラメータ値をまとめてＵＥに指示してもよく、それぞれに指示してもよい。以下の例のように、ネットワーク側装置は、第１のパラメータ値及び第２のパラメータ値を同時にＵＥに指示することができる。
【００９５】
図１０に示すように、本開示のさらにさらにもう１つの例で提供される無線リソーススケジューリング方法のフローチャートであり、当該無線リソーススケジューリング方法は以下のステップを含む。
【００９６】
Ｓ１００１では、ネットワーク側装置は、第１のパラメータ値及び第２のパラメータ値を確定し、第１のパラメータ値は、下り信号とその後最初の上り信号との間隔の最短時間長さを指示し、第２のパラメータ値は、１つの時間ユニット内での、下り伝送の最短時間長さと、時間ユニットでの下り伝送が開始する開始位置とを指示する。
【００９７】
Ｓ１００２では、ネットワーク側装置は、第１のパラメータ値及び第２のパラメータ値をＵＥに指示する。
【００９８】
Ｓ１００３では、ＵＥは、ネットワーク側装置が指示した第１のパラメータ値及び第２のパラメータ値を受信する。
【００９９】
Ｓ１００４では、ネットワーク側装置及びＵＥは、第１のパラメータ値及び第２のパラメータ値に基づいて、データ伝送を行う。
【０１００】
ここで、本開示の例におけるネットワーク側装置は、第１のパラメータ値および第２のパラメータ値を確定した後に、第１のパラメータ値および第２のパラメータ値をＵＥに指示し、その後、ネットワーク側装置およびＵＥは、指示された第１のパラメータ値および第２のパラメータ値に基づいてデータ伝送を行ってもよい。
【０１０１】
第１のパラメータ値と第２のパラメータ値の確定と指示の仕方については、上記の例の説明に参照する。
【０１０２】
本開示は、上記無線リソーススケジューリング方法に対応する無線リソーススケジューリング装置の例、及びネットワーク側装置とＵＥの例をさらに提供し、本開示の例におけるネットワーク側装置とＵＥが問題を解決する原理は、本開示の上記無線リソーススケジューリング方法の例と類似しているため、ネットワーク側装置とＵＥは方法の例を参照することができる。
【０１０３】
図１１に示すように、本開示の例に係る無線リソーススケジューリング装置は、
ＵＥに対して、目標時間ユニット内の第１のチャネルの伝送長さの類型を確定するように設定される、長さの類型確定モジュール１１１と、
前記目標時間ユニット内の前記第１のチャネルの伝送長さの類型をＵＥに通知し、前記第１のチャネルの伝送長さの類型に基づいて、目標時間ユニット内で前記ＵＥとデータ伝送を行うように設定される、データ伝送モジュール１１２と、を含む。
【０１０４】
ここで、上記データ伝送モジュール１１２が上記目標時間ユニット内で上記ＵＥとデータ伝送を行うことは、
第１のパラメータ値及び第２のパラメータ値のうちの一方又は両方と、前記第１のチャネルの伝送長さの類型とに基づいて、目標時間ユニット内での、前記第1のチャネルを含む１つまたは複数のチャネルの伝送時間長さを確定することであって、前記第１のパラメータ値は、下り信号とその後最初の上り信号との間隔の最短時間長さを指示し、前記第２のパラメータ値は、前記目標時間ユニット内での、下り伝送の最短時間長さと、前記目標時間ユニットでの前記下り伝送が開始する開始位置とを指示することと、
１つまたは複数のチャネルの伝送時間長さに基づいて、前記ＵＥとのデータ伝送を行うことと、を含む。
【０１０５】
一例では、上記無線リソーススケジューリング装置は、さらに、時間長さ確定モジュール１１３を含み、
前記時間長さ確定モジュール１１３は、
前記第１のチャネルが物理下り共有チャネルＰＤＳＣＨであり、前記目標時間ユニットの次の時間ユニットが下りのためのものであり、且つ前記ＰＤＳＣＨの伝送長さの類型が長類型であると、前記目標時間ユニット内で、前記ＰＤＳＣＨの伝送時間長さ＝前記目標時間ユニット長さ−前記第２のパラメータ値−α１であると確定し、α１は０以上の定数であり、長類型であるＰＤＳＣＨの伝送時間長さは、前記目標時間ユニットの長さ／２よりも長く、
前記第１のチャネルがＰＤＳＣＨであり、前記目標時間ユニットの次の時間ユニットが上りのためのものであり、且つ前記ＰＤＳＣＨの伝送長さの類型が長類型であると、前記目標時間ユニット内で、前記ＰＤＳＣＨの伝送時間長さ＝前記目標時間ユニットの長さ−前記第１のパラメータ値−前記第２のパラメータ値−α１であると確定し、
前記第１のチャネルが物理下り共有チャネルＰＤＳＣＨであり、且つ前記ＰＤＳＣＨの伝送長さの類型が短類型であると、前記目標時間ユニット内で、短類型である前記ＰＤＳＣＨの伝送時間長さ＝（前記目標時間ユニット長さ／β）−前記第２のパラメータ−α２であり、前記目標時間ユニット内で、短類型である物理上り制御チャネルＰＵＣＣＨの伝送時間長さ＝（前記目標時間ユニット長さ／β）−前記第１のパラメータ−α２であると確定し、βは２以上の定数であり、α２は０以上の定数であり、
前記第１のチャネルがＰＵＣＣＨであり、且つ、前記ＰＵＣＣＨの伝送長さの類型が長類型であると、前記目標時間ユニット内で、前記ＰＵＣＣＨの伝送時間長さ＝前記目標時間ユニットの長さ−前記第１のパラメータ値−前記第２のパラメータ値−α１であると確定し、長類型である前記ＰＵＣＣＨの伝送時間長さは、前記目標時間ユニットの長さ／２よりも長く、
前記第１のチャネルが物理上り共有チャネルＰＵＳＣＨであり、且つ前記ＰＵＳＣＨの伝送長さの類型が短類型であると、前記目標時間ユニット内で、前記ＰＵＳＣＨの伝送時間長さ＝（前記目標時間ユニットの長さ／β）−前記第１のパラメータ値−α２であると確定し、
前記第１のチャネルがＰＵＳＣＨであり、且つ前記ＰＵＳＣＨの伝送長さの類型が長類型であると、前記目標時間ユニット内で、前記ＰＵＳＣＨの伝送時間長さ＝前記目標時間ユニットの長さ−前記第１のパラメータ値−前記第２のパラメータ値−α１であると確定し、長類型である前記ＰＵＳＣＨの伝送時間長さは、前記目標時間ユニットの長さ／２よりも長い、ように設定される。
【０１０６】
ここで、図中の破線が示すように、時間長さ確定モジュール１１３は長さの類型確定モジュール１１１と接続でき、時間長さ確定モジュール１１３は長さの類型確定モジュール１１１を用いて伝送長さの類型を取得することにより伝送時間長さを確定できる。なお、時間長さ確定モジュール１１３は、データ伝送モジュール１１２の一部と見なされてもよい、或いは、具体的に、データ伝送モジュール１１２が、時間長決定モジュール１１３を呼び出すことにより伝送時間長さの算出を実現できると理解されてもよい。
【０１０７】
一例では、上記無線リソーススケジューリング装置は、さらに、前記ネットワーク側装置とＵＥとの間にデータ伝送を行う時分割複信ＴＤＤフレーム構造に基づいて、前記目標時間ユニットの次の時間ユニットの伝送の類型を確定するように設定される、伝送の類型確定モジュール１１４を含み、前記伝送の類型は、上り又は下りである。
【０１０８】
一例では、上記無線リソーススケジューリング装置は、さらに、
第１のパラメータの選択値集合から１つの値を選択して前記第１のパラメータ値とし、選択された第１のパラメータ値を指示する第１のビット識別子を、前記ＵＥに送信するように設定される、第１のパラメータ値確定モジュール１１５と、
下り制御情報ＤＣＩを伝送するのに占有する符号数、及び／又は下り測定参考信号を伝送するのに占有する符号数に基づいて、第２のパラメータの選択値集合から１つの値を選択して前記第２のパラメータ値とし、選択された第２のパラメータ値を指示する第２のビット識別子を、前記ＵＥに送信するように設定される、第２のパラメータ値確定モジュール１１６と、を含む。
【０１０９】
一例では、前記データ伝送モジュール１１２が前記目標時間ユニット内で前記第１のチャネルの伝送長さの類型をＵＥに通知することは、
下り制御情報ＤＣＩによって、前記第１のチャネルの伝送長さの類型を指示する第３のビット識別子をＵＥに送信することを含む。
【０１１０】
図１２に示すように、本開示の例に係る無線リソーススケジューリング装置は、
ネットワーク側装置が通知した、目標時間ユニッ内の第１のチャネルの伝送長さの類型を受信するように設定される、長さ類型受信モジュール１２１と、
前記第１のチャネルの伝送長さの類型に基づいて、目標時間ユニット内で、ネットワーク側装置とのデータ伝送を行うように設定される、データ伝送モジュール１２２と、を含む。
【０１１１】
一例では、上記データ伝送モジュール１２２が上記目標時間ユニット内で上記ネットワーク側装置とデータ伝送を行うことは、
前記第１のパラメータ値および第２のパラメータ値の一方または両方と、前記第１のチャネルの伝送長さの類型とに基づいて、前記目標時間ユニット内での、前記第１のチャネルを含む１つまたは複数のチャネルの伝送時間長さを確定することであって、前記第１のパラメータ値は、下り信号とその後最初の上り信号との間隔の最短時間長さを指示し、前記第２のパラメータ値は、前記目標時間ユニット内で、下り伝送の最短時間長さと、前記目標時間ユニットでの前記下り伝送が開始する開始位置とを指示することと、
前記１つ又は複数のチャネルの伝送時間長さに基づいて、前記ネットワーク側装置とのデータ伝送を行うことと、を含む。
【０１１２】
一例では、上記無線リソーススケジューリング装置は、さらに、時間長さ確定モジュール１２３を含み、
時間長さ確定モジュール１２３は、
前記第１のチャネルが物理下り共有チャネルＰＤＳＣＨであり、前記目標時間ユニットの次の時間ユニットが下りのためのものであり、且つ前記ＰＤＳＣＨの伝送長さの類型が長類型であると、前記目標時間ユニット内で、前記ＰＤＳＣＨの伝送時間長さ＝前記目標時間ユニット長さ−前記第２のパラメータ値−α１であると確定し、前記α１は０以上の定数であり、長類型であるＰＤＳＣＨの伝送時間長さは、前記目標時間ユニットの長さ／２よりも長く、
前記第１のチャネルがＰＤＳＣＨであり、前記目標時間ユニットの次の時間ユニットが上りのためのものであり、且つ前記ＰＤＳＣＨの伝送長さの類型が長類型であると、前記目標時間ユニット内で、前記ＰＤＳＣＨの伝送時間長さ＝前記目標時間ユニットの長さ−前記第１のパラメータ値−前記第２のパラメータ値−α１であると確定し、
前記第１のチャネルが物理下り共有チャネルＰＤＳＣＨであり、且つ前記ＰＤＳＣＨの伝送長さの類型が短類型であると、前記目標時間ユニット内で、短類型である前記ＰＤＳＣＨの伝送時間長さ＝（前記目標時間ユニット長さ／β）−前記第２のパラメータ−α２であり、前記目標時間ユニット内で、短類型である物理上り制御チャネルＰＵＣＣＨの伝送時間長さ＝（前記目標時間ユニット長さ／β）−前記第１のパラメータ−α２であると確定し、βは２以上の定数であり、α２は０以上の定数であり、
前記第１のチャネルがＰＵＣＣＨであり、且つ、前記ＰＵＣＣＨの伝送長さの類型が長類型であると、前記目標時間ユニット内で、前記ＰＵＣＣＨの伝送時間長さ＝前記目標時間ユニットの長さ−前記第１のパラメータ値−前記第２のパラメータ値−α１であると確定し、長類型である前記ＰＵＣＣＨの伝送時間長さは、前記目標時間ユニットの長さ／２よりも長く、
前記第１のチャネルが物理上り共有チャネルＰＵＳＣＨであり、且つ前記ＰＵＳＣＨの伝送長さの類型が短類型であると、前記目標時間ユニット内で、前記ＰＵＳＣＨの伝送時間長さ＝（前記目標時間ユニットの長さ／β）−前記第１のパラメータ値−α２であると確定し、
前記第１のチャネルがＰＵＳＣＨであり、且つ前記ＰＵＳＣＨの伝送長さの類型が長類型であると、前記目標時間ユニット内で、前記ＰＵＳＣＨの伝送時間長さ＝前記目標時間ユニットの長さ−前記第１のパラメータ値−前記第２のパラメータ値−α１であると確定し、α１は０以上の定数であり、長類型である前記ＰＵＳＣＨの伝送時間長さは、前記目標時間ユニットの長さ／２よりも長い、ように設定される。
【０１１３】
一例では、上記無線リソーススケジューリング装置は、さらに、
前記ネットワーク側装置と前記無線リソーススケジューリング装置との間にデータ伝送を行う時分割複信ＴＤＤフレーム構造に基づいて、前記目標時間ユニットの次の時間ユニットの伝送の類型を確定するように設定される、伝送の類型確定モジュール１２４を含む。
【０１１４】
一例では、上記無線リソーススケジューリング装置は、さらに、
前記ＵＥが、ネットワーク側装置が送信した、第１のパラメータ値を指示する第１のビット識別子を受信し、前記第１のビット識別子に基づいて、前記ネットワーク側装置が指示した第１のパラメータ値を第１のパラメータの選択値集合から確定するように、及び／又は、前記ＵＥが、ネットワーク側装置が送信した、前記第２のパラメータ値を指示する第２のビット識別子を受信し、第２のビット識別子に基づいて、前記ネットワーク側装置が指示した第２のパラメータ値を第２のパラメータの選択値集合から確定するように設定される、パラメータ値確定モジュール１２５を含む。
【０１１５】
一例では、長さ類型受信モジュール１２１がネットワーク側装置が通知した目標時間ユニット内の第１のチャネルの伝送長さの類型を受信することは、
前記ネットワーク側装置が下り制御情報ＤＣＩによって送信した、前記第1のチャネルの伝送長類型を指示する第３のビット識別子を受信することを含む。
【０１１６】
図１３に示すように、本開示の例はさらにネットワーク側装置１３０を提供し、当該ネットワーク側装置１３０は、プロセッサ１３１と、メモリ１３２と、バス１３３とを備え、メモリ１３２は、前記プロセッサが実行可能な機器可読命令を記憶し、前記プロセッサと前記メモリとは、バスを介して通信し、前記機器可読命令が、プロセッサによって実行される際に、
ＵＥに対して、目標時間ユニット内の第１のチャネルの伝送長さの類型を確定する処理と、
前記目標時間ユニット内の前記第１のチャネルの伝送長さの類型をＵＥに通知し、前記第１のチャネルの伝送長さの類型に基づいて、前記目標時間ユニット内で前記ＵＥとデータ伝送を行う処理と、が実行される。
【０１１７】
一例では、前記第１のチャネルの伝送長さの類型に基づいて、前記目標時間ユニット内で前記ＵＥとデータ伝送を行う処理について、前記機器可読命令が、プロセッサ１３１によって実行される際に、
前記第１のパラメータ値および前記第２のパラメータ値の一方または両方と、前記第１のチャネルの伝送長さの類型とに基づいて、前記目標時間ユニット内での、前記第１のチャネルを含む１つまたは複数のチャネルの伝送時間長さを確定し、前記第１のパラメータ値が、下り信号とその後最初の上り信号との間隔の最短時間長さを指示し、前記第２のパラメータ値は、前記目標時間ユニット内での、下り伝送の最短時間長さと、前記目標時間ユニットでの前記下り伝送が開始する開始位置とを指示する処理と、１つまたは複数のチャネルの伝送時間長さに基づいて、前記ＵＥとのデータ伝送を行う処理と、が実行される。
【０１１８】
もう１つの例では、前記第１のパラメータ値および前記第２のパラメータ値の一方または両方と、前記第１のチャネルの伝送長さの類型とに基づいて、前記目標時間ユニット内での、前記第１のチャネルを含む１つまたは複数のチャネルの伝送時間長さを確定する処理について、前記機器可読命令が、プロセッサ１３１によって実行される際に、
前記第１のチャネルが物理下り共有チャネルＰＤＳＣＨであり、前記目標時間ユニットの次の時間ユニットが下りのためのものであり、且つ前記ＰＤＳＣＨの伝送長さの類型が長類型であると、前記目標時間ユニット内で、前記ＰＤＳＣＨの伝送時間長さ＝前記目標時間ユニット長さ−前記第２のパラメータ値−α１であると確定し、前記α１は０以上の定数であり、長類型であるＰＤＳＣＨの伝送時間長さは、前記目標時間ユニットの長さ／２よりも長い処理が実行され、
前記第１のチャネルがＰＤＳＣＨであり、前記目標時間ユニットの次の時間ユニットが上りのためのものであり、且つ前記ＰＤＳＣＨの伝送長さの類型が長類型であると、前記目標時間ユニット内で、前記ＰＤＳＣＨの伝送時間長さ＝前記目標時間ユニットの長さ−前記第１のパラメータ値−前記第２のパラメータ値−α１と確定する処理が実行され、
前記第１のチャネルが物理下り共有チャネルＰＤＳＣＨであり、且つ前記ＰＤＳＣＨの伝送長さの類型が短類型であると、前記目標時間ユニット内で、短類型である前記ＰＤＳＣＨの伝送時間長さ＝（前記目標時間ユニット長さ／β）−前記第２のパラメータ−α２であり、前記目標時間ユニット内で、短類型である物理上り制御チャネルＰＵＣＣＨの伝送時間長さ＝（前記目標時間ユニット長さ／β）−前記第１のパラメータ−α２であると確定し、βは２以上の定数であり、α２は０以上の定数である処理が実行され、
前記第１のチャネルがＰＵＣＣＨであり、且つ、前記ＰＵＣＣＨの伝送長さの類型が長類型であると、前記目標時間ユニット内で、前記ＰＵＣＣＨの伝送時間長さ＝前記目標時間ユニットの長さ−前記第１のパラメータ値−前記第２のパラメータ値−α１であると確定し、長類型である前記ＰＵＣＣＨの伝送時間長さは、前記目標時間ユニットの長さ／２よりも長い処理が実行され、
前記第１のチャネルが物理上り共有チャネルＰＵＳＣＨであり、且つ前記ＰＵＳＣＨの伝送長さの類型が短類型であると、前記目標時間ユニット内で、前記ＰＵＳＣＨの伝送時間長さ＝（前記目標時間ユニットの長さ／β）−前記第１のパラメータ値−α２と確定する処理が実行され、
前記第１のチャネルがＰＵＳＣＨであり、且つ前記ＰＵＳＣＨの伝送長さの類型が長類型であると、前記目標時間ユニット内で、前記ＰＵＳＣＨの伝送時間長さ＝前記目標時間ユニットの長さ−前記第１のパラメータ値−前記第２のパラメータ値−α１であると確定し、長類型である前記ＰＵＳＣＨの伝送時間長さは、前記目標時間ユニットの長さ／２よりも長い処理が実行される。
【０１１９】
一例では、前記目標時間ユニットの次の時間ユニットの伝送の類型を確定する処理について、前記伝送の類型は上り又は下りのためのものであり、前記機器可読命令が、プロセッサ１３１によって実行される際に、
前記ネットワーク側装置１３０と前記ＵＥとの間にデータ伝送を行う時分割複信ＴＤＤフレーム構造に基づいて、前記目標時間ユニットの次の時間ユニットの伝送の類型を確定する処理が実行される。
【０１２０】
もう１つの例では、前記機器可読命令が、プロセッサ１３１によって実行される際に、さらに、
第１のパラメータの選択値集合から１つの値を選択して前記第１のパラメータ値とし、選択された第１のパラメータ値を指示する第１のビット識別子を、前記ＵＥに送信する処理が実行される。
【０１２１】
さらにもう１つの例では、前記機器可読命令が、プロセッサ１３１によって実行際に、さらに、
下り制御情報ＤＣＩを伝送するのに占有する符号数、及び／又は下り測定参考信号を伝送するのに占有する符号数に基づいて、第２のパラメータの選択値集合から１つの値を選択して前記第２のパラメータ値とし、選択された第２のパラメータ値を指示する第２のビット識別子を前記ＵＥに送信する処理が実行される。
【０１２２】
さらにもう１つの例では、前記目標時間ユニット内の前記第１のチャネルの伝送長さの類型をＵＥに通知することについて、前記機器可読命令が、プロセッサ１３１によって実行される際に、
下り制御情報ＤＣＩによって、前記第１のチャネルの伝送長さの類型を指示する第３のビット識別子をＵＥに送信する処理が実行される。
【０１２３】
本開示の例は、さらに、プロセッサ１３１によって実行される際に、図１３に示すネットワーク側装置１３０の上述した機能を実行するコンピュータプログラムを記憶したコンピュータ可読記憶媒体を提供する。
【０１２４】
具体的には、当該記憶媒体は、例えば、モバイルディスク、ハードディスクなどの汎用記憶媒体であってもよく、当該記憶媒体にあるコンピュータプログラムが実行される際に、上記無線リソーススケジューリング方法が実行可能であるため、従来の無線リソーススケジューリング方式の柔軟性が低いという課題を解決し、リソースを柔軟にスケジューリングする効果を実現することができる。
【０１２５】
図１４に示すように、本開示の一例はさらにユーザ装置１４０を提供し、当該ユーザ装置１４０は、プロセッサ１４１と、メモリ１４２と、バス１４３とを備え、メモリ１４２は前記プロセッサによって実行可能な機器可読命令を記憶し、プロセッサ１４１とメモリ１４２とはバス１４３を介して通信し、機器可読命令が、プロセッサ１４１によって実行される際に、
ネットワーク側装置が通知した目標時間ユニット内の第１のチャネルの伝送長さの類型を受信する処理と、
前記第１のチャネルの伝送長さの類型に基づいて、前記目標時間ユニット内で前記ネットワーク側装置とデータ伝送を行う処理と、が実行される。
【０１２６】
一例では、前記第１のチャネルの伝送長さの類型に基づいて、前記目標時間ユニット内で前記ネットワーク側装置とデータ伝送を行う処理について、前記機器可読命令が、プロセッサ１４１によって実行される際に、
前記第１のパラメータ値および前記第２のパラメータ値の一方または両方と、前記第１のチャネルの伝送長さの類型とに基づいて、前記目標時間ユニット内での、前記第１のチャネルを含む１つまたは複数のチャネルの伝送時間長さを確定し、前記第１のパラメータ値が、下り信号とその後最初の上り信号との間隔の最短時間長さを指示し、前記第２のパラメータ値は、前記目標時間ユニット内の下り伝送の最短時間長さと、前記目標時間ユニットでの前記下り伝送が開始する開始位置とを指示する処理と、１つまたは複数のチャネルの伝送時間長さに基づいて、前記ネットワーク側装置とのデータ伝送を行う処理と、が実行される。
【０１２７】
もう１つの例では、前記第１のパラメータ値および前記第２のパラメータ値の一方または両方と、前記第１のチャネルの伝送長さの類型とに基づいて、前記目標時間ユニット内での、前記１つまたは複数のチャネルの伝送時間長さを確定する処理について、前記機器可読命令が、プロセッサ１４１によって実行される際に、
前記第１のチャネルが物理下り共有チャネルＰＤＳＣＨであり、前記目標時間ユニットの次の時間ユニットが下りのためのものであり、且つ前記ＰＤＳＣＨの伝送長さの類型が長類型であると、前記目標時間ユニット内で、前記ＰＤＳＣＨの伝送時間長さ＝前記目標時間ユニット長さ−前記第２のパラメータ値−α１であると確定し、前記α１は０以上の定数であり、長類型であるＰＤＳＣＨの伝送時間長さは、前記目標時間ユニットの長さ／２よりも長い処理が実行され、
前記第１のチャネルがＰＤＳＣＨであり、前記目標時間ユニットの次の時間ユニットが上りのためのものであり、且つ前記ＰＤＳＣＨの伝送長さの類型が長類型であると、前記目標時間ユニット内で、前記ＰＤＳＣＨの伝送時間長さ＝前記目標時間ユニットの長さ−前記第１のパラメータ値−前記第２のパラメータ値−α１と確定する処理が実行され、
前記第１のチャネルが物理下り共有チャネルＰＤＳＣＨであり、且つ前記ＰＤＳＣＨの伝送長さの類型が短類型であると、前記目標時間ユニット内で、短類型である前記ＰＤＳＣＨの伝送時間長さ＝（前記目標時間ユニット長さ／β）−前記第２のパラメータ−α２であり、前記目標時間ユニット内で、短類型である物理上り制御チャネルＰＵＣＣＨの伝送時間長さ＝（前記目標時間ユニット長さ／β）−前記第１のパラメータ−α２であると確定し、βが２以上の定数であり、α２が０以上の定数である処理が実行され、
前記第１のチャネルがＰＵＣＣＨであり、且つ、前記ＰＵＣＣＨの伝送長さの類型が長類型であると、前記目標時間ユニット内で、前記ＰＵＣＣＨの伝送時間長さ＝前記目標時間ユニットの長さ−前記第１のパラメータ値−前記第２のパラメータ値−α１であると確定し、長類型である前記ＰＵＣＣＨの伝送時間長さが、前記目標時間ユニットの長さ／２よりも長い処理が実行され、
前記第１のチャネルが物理上り共有チャネルＰＵＳＣＨであり、且つ前記ＰＵＳＣＨの伝送長さの類型が短類型であると、前記目標時間ユニット内で、前記ＰＵＳＣＨの伝送時間長さ＝（前記目標時間ユニットの長さ／β）−前記第１のパラメータ値−α２であると確定する処理が実行され、
前記第１のチャネルがＰＵＳＣＨであり、且つ前記ＰＵＳＣＨの伝送長さの類型が長類型であると、前記目標時間ユニット内で、前記ＰＵＳＣＨの伝送時間長さ＝前記目標時間ユニットの長さ−前記第１のパラメータ値−前記第２のパラメータ値−α１であると確定し、α１が０以上の定数であり、長類型である前記ＰＵＳＣＨの伝送時間長さが、前記目標時間ユニットの長さ／２よりも長い処理が実行される。
【０１２８】
さらに１つの例では、機器可読命令が、プロセッサ１４１によって実行される際に、さらに、
前記ネットワーク側装置と前記ＵＥとの間にデータ伝送を行う時分割複信ＴＤＤフレーム構造に基づいて、前記目標時間ユニットの次の時間ユニットの伝送の類型を確定する処理が実行される。
【０１２９】
さらに１つの例では、機器可読命令が、プロセッサ１４１によって実行される際に、さらに、
前記ネットワーク側装置が送信した、第１のパラメータ値を指示する第１のビット識別子を受信し、前記第１のビット識別子に基づいて、前記ネットワーク側装置が指示した第１のパラメータ値を第１のパラメータの選択値集合から確定するように、及び／又は、ネットワーク側装置が送信した、前記第２のパラメータ値を指示する第２のビット識別子を受信し、第２のビット識別子に基づいて、前記ネットワーク側装置が指示した第２のパラメータ値を第２のパラメータの選択値集合から確定する処理が実行される。
【０１３０】
さらに１つの例では、ネットワーク側装置が通知した目標時間ユニット内の第１のチャネルの伝送長さの類型を受信する処理について、前記機器可読命令が、プロセッサ１４１によって実行される際に、
前記ネットワーク側装置が下り制御情報ＤＣＩによって送信した、前記第１のチャネルの伝送長さの類型を指示する第３のビット識別子を受信する処理が実行される。
【０１３１】
本開示の一例は、さらに、プロセッサ１４１によって実行される際に、図１４に示すユーザ装置１４０の上述した機能を実行するコンピュータプログラムを記憶したコンピュータ可読記憶媒体を提供する。
【０１３２】
当該記憶媒体は、例えば、モバイルディスク、ハードディスクなどの汎用記憶媒体であってもよく、当該記憶媒体にあるコンピュータプログラムが実行される際に、上記無線リソーススケジューリング方法が実行可能であるため、従来の無線リソーススケジューリング方式の柔軟性が低いという課題を解決し、リソースを柔軟にスケジューリングする効果を実現することができる。
【０１３３】
図１５に示すように、本開示の一例に係る無線リソーススケジューリング装置の模式図であって、当該無線リソーススケジューリング装置は、
第１のパラメータ値を確定し、前記第１のパラメータ値が、下り信号とその後最初の上り信号との間隔の最短時間長さを指示するように設定される、第１のパラメータ値確定モジュール１５１と、
前記第１のパラメータ値をＵＥに指示し、前記第１のパラメータ値に基づいて、前記ＵＥとのデータ伝送を行うように設定される、第１のパラメータ値指示モジュール１５２と、を含む。
【０１３４】
一例では、上記無線リソーススケジューリング装置は、さらに、
第２のパラメータ値を確定し、前記第２のパラメータ値が、前記時間ユニット内での、下り伝送の最短時間長さと、前記時間ユニットでの前記下り伝送が開始する開始位置とを指示するように設定される、第２のパラメータ値確定モジュール１５３と、
前記第２のパラメータ値をＵＥに指示するように設定される、第２のパラメータ値指示モジュール１５４と、を含む。
【０１３５】
一例では、第１のパラメータ値確定モジュール１５１は、
セルカバレッジ距離と、
下りチャネルを受信復号するのに必要な時間、上り送信信号を生成するのに必要な時間、下り受信から上り送信に切り替えるのに必要な時間のうち少なくとも１つを含む前記ＵＥの処理時間と、のうちの１つまたは複数に基づいて、
前記第１のパラメータ値を確定する。
【０１３６】
一例では、第１のパラメータ値指示モジュール１５２は、
システムメッセージ、ＵＥ専用上位層メッセージ、セル専用物理層制御情報、ユーザグループ専用物理層制御情報、ＵＥ専用物理層制御情報等のうちの１つのメッセージの形で、前記第１のパラメータ値を前記ＵＥに指示する。
【０１３７】
一例では、第１のパラメータ値指示モジュール１５２は、
セルカバレッジ距離と、
下りチャネルを受信復号するのに必要な時間、上り送信信号を生成するのに必要な時間、下り受信から上り送信に切り替えるのに必要な時間のうち少なくとも１つを含む前記ＵＥの処理時間と、のうちの１つまたは複数に基づいて、
第１のパラメータの選択値集合から１つの値を選択して前記ＵＥに指示する第１のパラメータ値とする。
【０１３８】
一例では、前記装置は、さらに、
前記ＵＥが報告した処理時間を受信するように設定される、処理時間受信モジュール１５５を含む。
【０１３９】
一例では、第１のパラメータ値指示モジュール１５２は、前記第１のパラメータの選択値集合から選択された第１のパラメータ値を指示する第１のビット識別子を前記ＵＥに送信するように設定される。
【０１４０】
一例では、上記無線リソーススケジューリング装置は、さらに、
システムメッセージ、ＵＥ専用上位層メッセージ、セル専用物理層制御情報、ユーザグループ専用物理層制御情報、ＵＥ専用物理層制御情報等のうちの１つのメッセージの形で、前記第１のパラメータの選択値集合を前記ＵＥに送信するように設定される、第１の選択値集合送信モジュール１５６を含む。
【０１４１】
一例では、第２のパラメータ値確定モジュール１５３は、
下り制御情報ＤＣＩを伝送するのに占有する符号数、及び／又は下り測定参考信号を伝送するのに占有する符号数に基づいて、前記第２のパラメータ値を確定するステップにより、第２のパラメータ値を確定する。
【０１４２】
一例では、前記第２のパラメータ値指示モジュール１５４は、
システムメッセージ、ＵＥ専用上位層メッセージ、セル専用物理層制御情報、ユーザグループ専用物理層制御情報、ＵＥ専用物理層制御情報等のうちの１つのメッセージの形で、前記第２のパラメータ値を前記ＵＥに送信するように設定される。
【０１４３】
もう１つの例では、第２のパラメータ値確定モジュール１５３は、
下り制御情報ＤＣＩを伝送するのに占有する符号数、及び／又は下り測定参考信号を伝送するのに占有する符号数に基づいて第２のパラメータの選択値集合から１つの値を選択して前記ＵＥに指示する第２のパラメータ値とするステップにより、第２のパラメータ値を確定する。
【０１４４】
一例では、第２のパラメータ値指示モジュール１５４は、前記第２のパラメータの選択値集合から選択された第２のパラメータ値を指示する第２のビット識別子を前記ＵＥに送信するように設定される。
【０１４５】
一例では、上記無線リソーススケジューリング装置は、さらに、
システムメッセージ、ＵＥ専用上位層メッセージ、セル専用物理層制御情報、ユーザグループ専用物理層制御情報、ＵＥ専用物理層制御情報等のうちの１つのメッセージの形で、前記第２のパラメータの選択値集合を前記ＵＥに送信するように設定される、第２の選択値集合送信モジュール１５７を含む。
【０１４６】
図１６に示すように、本開示のもう１つの例に係る無線リソーススケジューリング装置の模式図であって、当該無線リソーススケジューリング装置は、
ネットワーク側装置が指示した第１のパラメータ値を受信するように構成され、前記第１のパラメータ値は、下り信号とその後最初の上り信号との間隔の最短時間長さを指示するように設定される、第１のパラメータ値受信モジュール１６１と、
前記第１のパラメータ値に基づいて、ネットワーク側装置とのデータ伝送を行うように設定される、データ伝送モジュール１６２と、を含む。
【０１４７】
一例では、上記無線リソーススケジューリング装置は、さらに、
前記ネットワーク側装置が指示した第２のパラメータ値を受信し、前記第２のパラメータ値は、前記時間ユニット内の下り伝送の最短時間長さと、前記時間ユニットでの前記下り伝送が開始する開始位置とを指示するように設定される、第２のパラメータ値受信モジュール１６３と、
前記第１のパラメータ値及び前記第２のパラメータ値に基づいて、ネットワーク側装置とのデータ伝送を行うように設定される、データ伝送モジュール１６２と、を含む。
【０１４８】
一例では、上記無線リソーススケジューリング装置は、さらに、
前記ネットワーク側装置が前記ＵＥの処理時間に基づいて前記ＵＥに対して前記第１のパラメータ値を確定するように、前記ＵＥの処理時間を報告し、前記ＵＥの処理時間は、下りチャネルを受信復号するのに必要な時間、上り送信信号を生成するのに必要な時間、および下り受信から上り送信に切り替えるのに必要な時間のうちの少なくとも１つを含むように設定される、処理時間報告モジュール１６４。
【０１４９】
一例では、第１のパラメータ値受信モジュール１６１は、
システムメッセージ、ＵＥ専用上位層メッセージ、セル専用物理層制御情報、ユーザグループ専用物理層制御情報、ＵＥ専用物理層制御情報等のうちの１つのメッセージの形で、第１のパラメータの値を受信するように設定される。
【０１５０】
一例では、第１のパラメータ値受信モジュール１６１は、前記ネットワーク側装置が送信した前記第１のパラメータ値を指示する第１のビット識別子を受信し、前記第１のビット識別子に基づいて、前記ネットワーク側装置が指示した第１のパラメータ値を、前記第１のパラメータの選択値集合から確定するように設定される。
【０１５１】
一例では、上記無線リソーススケジューリング装置は、さらに、
システムメッセージ、ＵＥ専用上位層メッセージ、セル専用物理層制御情報、ユーザグループ専用物理層制御情報、ＵＥ専用物理層制御情報等のうちの１つのメッセージの形で、前記第１のパラメータの選択値集合を受信するように設定される、第１の選択値集合受信モジュール１６５、を含む。
【０１５２】
もう１つの例では、第２のパラメータ値受信モジュール１６３は、前記ネットワーク側装置が送信した前記第２のパラメータ値を指示する第２のビット識別子を受信し、前記第２のビット識別子に基づいて、前記ネットワーク側装置が指示した第２のパラメータ値を前記第２のパラメータの選択値集合から確定するように設定される。
【０１５３】
一例では、上記無線リソーススケジューリング装置は、さらに、
システムメッセージ、ＵＥ専用上位層メッセージ、セル専用物理層制御情報、ユーザグループ専用物理層制御情報、ＵＥ専用物理層制御情報等のうちの１つのメッセージの形で、前記第２のパラメータの選択値集合を受信するように設定される、第２の選択値集合受信モジュール１６６を含む。
【０１５４】
図１７に示すように、本開示の例は、さらに、プロセッサ１７１と、メモリ１７２と、バス１７３とを備えるネットワーク側装置１７０提供し、メモリ１７２が前記プロセッサが実行可能な機器可読命令を記憶し、前記プロセッサ１７１と前記メモリ１７２とがバス１７３を介して通信し、前記機器可読命令が、プロセッサ１７１によって実行される際に、
下り信号とその後最初の上り信号との間隔の最短時間長さを指示する第１のパラメータ値を確定する処理と、
前記第１のパラメータ値をＵＥに指示し、前記第１のパラメータ値に基づいて、前記ＵＥとのデータ伝送を行う処理と、が実行される。
【０１５５】
一例では、前記機器可読命令が、プロセッサ１７１によって実行される際に、さらに、
前記時間ユニット内の下り伝送の最短時間長さと、前記時間ユニットでの前記下り伝送が開始する開始位置とを指示する第２のパラメータ値を確定し、前記第２のパラメータ値をＵＥに指示する処理が実行される。
【０１５６】
一例では、前記機器可読命令が、プロセッサ１７１によって実行される際に、さらに、
セルカバレッジ距離と、下りチャネルを受信復号するのに必要な時間、上り送信信号を生成するのに必要な時間、下り受信から上り送信に切り替えるのに必要な時間のうち少なくとも１つを含む前記ＵＥの処理時間と、のうちの１つまたは複数に基づいて、前記第１のパラメータ値を確定する処理が実行される。
【０１５７】
一例では、前記機器可読命令が、プロセッサ１７１によって実行際に、さらに、
システムメッセージ、ＵＥ専用上位層メッセージ、セル専用物理層制御情報、ユーザグループ専用物理層制御情報、ＵＥ専用物理層制御情報等のうちの１つのメッセージの形で、前記第１のパラメータ値を前記ＵＥに指示する処理が実行される。
【０１５８】
もう１つの例では、第１のパラメータ値を確定する処理について、前記機器可読命令が、プロセッサ１７１によって実行される際に、
第１のパラメータの選択値集合から１つの値を選択して前記ＵＥに指示する第１のパラメータ値とする処理が実行される。
【０１５９】
さらにもう１つの例では、前記機器可読命令が、プロセッサ１７１によって実行される際に、
セルカバレッジ距離と、
下りチャネルを受信復号するのに必要な時間、上り送信信号を生成するのに必要な時間、下り受信から上り送信に切り替えるのに必要な時間のうち少なくとも１つを含む前記ＵＥの処理時間と、のうちの１つまたは複数に基づいて、前記第１のパラメータの選択値集合から１つの値を選択して前記ＵＥに指示する第１のパラメータ値とする処理が実行される。
【０１６０】
さらにもう１つの例では、前記機器可読命令が、プロセッサ１７１によって実行の際に、さらに、
前記ＵＥが報告された処理時間を受信する処理が実行される。
【０１６１】
さらにもう１つの例では、第１のパラメータ値をＵＥに指示する処理について、前記機器可読命令が、プロセッサ１７１によって実行される際に、
前記第１のパラメータの選択値集合から選択された第１のパラメータ値を指示する第１のビット識別子を前記ＵＥに送信する処理が実行される。
【０１６２】
一例では、前記機器可読命令が、プロセッサ１７１によって実行される際に、
システムメッセージ、ＵＥ専用上位層メッセージ、セル専用物理層制御情報、ユーザグループ専用物理層制御情報、ＵＥ専用物理層制御情報等のうちの１つのメッセージの形で、前記第１のパラメータの選択値集合を前記ＵＥに送信する処理が実行される。
【０１６３】
さらにもう１つの例では、前記機器可読命令が、プロセッサ１７１によって実行される際に、
下り制御情報ＤＣＩを伝送するのに占有する符号数、及び／又は下り測定参考信号を伝送するのに占有する符号数に基づいて、第２のパラメータの値を確定する処理が実行される。
【０１６４】
一例では、前記機器可読命令が、プロセッサ１７１によって実行される際に、
システムメッセージ、ＵＥ専用上位層メッセージ、セル専用物理層制御情報、ユーザグループ専用物理層制御情報、ＵＥ専用物理層制御情報等のうちの１つのメッセージの形で、前記第２のパラメータ値を前記ＵＥに送信する処理が実行される。
【０１６５】
もう１つの例では、前記機器可読命令が、プロセッサ１７１によって実行される際に、
第２のパラメータの選択値集合から１つの値を選択してＵＥに指示する第２のパラメータ値とする処理が実行される。
【０１６６】
一例では、前記の機器可読命令が、プロセッサ１７１によって実行される際に、
下り制御情報ＤＣＩを伝送するのに占有する符号数、及び／又は下り測定参考信号を伝送するのに占有する符号数に基づいて、第２のパラメータの選択値集合から１つの値を選択して前記ＵＥに指示する第２のパラメータ値とする処理が実行される。
【０１６７】
さらにもう１つの例では、前記機器可読命令が、プロセッサ１７１によって実行される際に、
前記第２のパラメータの選択値集合を前記ＵＥに送信し、前記第２のパラメータの選択値集合から選択された第２のパラメータ値を指示する第２のビット識別子を前記ＵＥに送信する処理が実行される。
【０１６８】
一例では、前記機器可読命令が、プロセッサ１７１によって実行される際に、
システムメッセージ、ＵＥ専用上位層メッセージ、セル専用物理層制御情報、ユーザグループ専用物理層制御情報、ＵＥ専用物理層制御情報等のうちの１つのメッセージの形で、前記第２のパラメータの選択値集合を前記ＵＥに送信する処理が実行される。
【０１６９】
本開示の例は、プロセッサ１７１によって実行される際に、図１７に示すネットワーク側装置１７０の上述した機能を実行するコンピュータプログラムを記憶したコンピュータ可読記憶媒体をさらに提供する。
【０１７０】
当該記憶媒体は、例えば、モバイルディスク、ハードディスクなどの汎用記憶媒体であってもよく、当該記憶媒体にあるコンピュータプログラムが実行される際に、上記無線リソーススケジューリング方法が実行可能であるため、従来の無線リソーススケジューリング方式の柔軟性が低いという課題を解決し、リソースを柔軟にスケジューリングする効果を実現することができる。
【０１７１】
図１８に示すように、本開示の例は、プロセッサ１８１と、メモリ１８２と、バス１８３とを備えるユーザ装置１８０をさらに提供し、メモリ１８２は、前記プロセッサによって実行可能な機器可読命令を記憶し、プロセッサ１８１とメモリ１８２とは、バス１８３を介して通信し、機器可読命令が、プロセッサ１８１によって実行される際に、
ネットワーク側装置が指示した、下り信号とその後最初の上り信号との間隔の最短時間長さを指示する第１のパラメータ値を受信する処理と、
前記第１のパラメータ値に基づいて、前記ネットワーク側装置とのデータ伝送を行う処理と、が実行される。
【０１７２】
一例では、前記機器可読命令が、プロセッサ１８１によって実行される際に、
前記ネットワーク側装置が指示した、前記時間ユニット内の下り伝送の最短時間長さと、前記時間ユニットでの前記下り伝送が開始する開始位置とを指示する第２のパラメータ値を受信し、前記第１のパラメータ値と前記第２のパラメータ値とに基づいて、前記ネットワーク側装置とのデータ伝送を行う処理が実行される。
【０１７３】
もう１つの例では、前記機器可読命令が、プロセッサ１８１によって実行される際に、さらに、
前記ネットワーク側装置が前記ＵＥの処理時間に基づいて前記ＵＥに対して前記第１のパラメータ値を確定するように、前記ＵＥの処理時間を報告し、前記ＵＥの処理時間は、下りチャネルを受信復号するのに必要な時間、上り送信信号を生成するのに必要な時間、および下り受信から上り送信に切り替えるのに必要な時間のうちの少なくとも１つを含む処理が実行される。
【０１７４】
一例では、前記機器可読命令が、プロセッサ１８１によって実行される際に、
システムメッセージ、ＵＥ専用上位層メッセージ、セル専用物理層制御情報、ユーザグループ専用物理層制御情報、ＵＥ専用物理層制御情報等のうちの１つのメッセージの形で、前記第１のパラメータ値を受信する処理が実行される。
【０１７５】
もう１つの例では、前記機器可読命令は、プロセッサ１８１によって実行される際に、
前記ネットワーク側装置が送信した前記第１のパラメータ値を指示する第１のビット識別子を受信し、前記第１のビット識別子に基づいて、前記ネットワーク側装置が指示した第１のパラメータ値を、第１のパラメータの選択値集合から確定する処理が実行される。
【０１７６】
一例では、前記機器可読命令が、プロセッサ１８１によって実行される際に、
システムメッセージ、ＵＥ専用上位層メッセージ、セル専用物理層制御情報、ユーザグループ専用物理層制御情報、ＵＥ専用物理層制御情報等のうちの１つのメッセージの形で、前記第１のパラメータの選択値集合を受信する処理が実行される。
【０１７７】
もう１つの例では、前記機器可読命令が、プロセッサ１８１によって実行される際に、
前記ネットワーク側装置が送信した、前記第２のパラメータ値を指示する第２のビット識別子を受信し、前記第２のビット識別子に基づいて、前記ネットワーク側装置が指示した第２のパラメータ値を前記第２のパラメータの選択値集合から確定する処理が実行される。
【０１７８】
一例では、前記の機器可読命令が、プロセッサ１８１によって実行される際に、
システムメッセージ、ＵＥ専用上位層メッセージ、セル専用物理層制御情報、ユーザグループ専用物理層制御情報、ＵＥ専用物理層制御情報等のうちの１つのメッセージの形で、前記第２のパラメータの選択値集合を受信する処理が実行される。
【０１７９】
本開示の例は、プロセッサ１８１によって実行される際に、図１８に示すネットワーク側装置１８０の上述した機能を実行するコンピュータプログラムを記憶したコンピュータ可読記憶媒体をさらに提供する。
【０１８０】
具体的には、当該記憶媒体は、例えば、モバイルディスク、ハードディスクなどの汎用記憶媒体であってもよく、当該記憶媒体にあるコンピュータプログラムが実行される際に、上記無線リソーススケジューリング方法が実行可能であるため、従来の無線リソーススケジューリング方式の柔軟性が低いという課題を解決し、リソースを柔軟にスケジューリングする効果を実現することができる。
【０１８１】
要約すると、上述した本開示の例に係る技術案により、ネットワーク側装置は、ＵＥに対して目標時間ユニット内の第１のチャネルの伝送長さの類型を確定し、前記目標時間ユニット内の第１のチャネルの伝送長さの類型をＵＥに通知し、第１のチャネルの伝送長さの類型に基づいて、目標時間ユニット内でＵＥとデータ伝送を行う。当該技術案によれば、ネットワーク側装置は、ＵＥに対してチャネル伝送の具体的な時間長さを直接に指示する必要がなく、少ないビット数で１つの時間ユニット内のチャネルの伝送長さの類型を指示でき、ＵＥは、当該伝送長さの類型に基づいて伝送時間長さを確定し、必要とするシグナリングオーバーヘッドが少ない。
【０１８２】
なお、一例では、ネットワーク側装置とＵＥは、上記第１のパラメータ値と第２のパラメータ値の一方又は両方と、上記第１のチャネルの伝送長さの類型とに基づいて、上記目標時間ユニットに内での、上記第１のチャネルを含む１つまたは複数のチャネルの伝送時間長さを確定することができ、この時間ユニットは、サブフレーム又はタイムスロットであってもよい。上記伝送長さの類型は、下り制御情報ＤＣＩによって動的に指示されてもよく、第１のパラメータ値と第２のパラメータ値のうちの一方または両方は、プロトコルによって規定されてもよく、システムメッセージなどによってＵＥに指示されてもよい。これにより、１つの時間ユニット内で上りチャネルと下りチャネルに対する柔軟なスケジューリングが実現される。
【０１８３】
本開示の例に係る無線リソーススケジューリング方法のコンピュータプログラム製品は、プログラムコードを記憶したコンピュータ可読記憶媒体を含み、プログラムコードが含む命令は、上記の方法例での方法を実行するためのものであり、具体的な実現の仕方は、上記の方法例を参照する。
【０１８４】
上述のシステム及び装置の具体的な動作は、説明の便宜及び簡潔化のために、上述の方法例での対応する処理を参照することができることは、当業者にとって明らかである。
【０１８５】
これらの機能は、ソフトウェア機能ユニットの形態で実現されて独立した製品として販売または使用される場合、コンピュータ可読記憶媒体に記憶されてもよい。このような認識に基づいて、本開示の技術案の本質或いは従来技術に貢献する部分、または当該技術案の一部は、記憶媒体に記憶された、本開示の各例の方法のステップの全てまたは一部を、コンピュータデバイス（パーソナルコンピュータ、サーバ、またはネットワークデバイスなどであってもよい）に実行させるための複数の命令を含むコンピュータソフトウェア製品の形で具体化することができる。また、前記記憶媒体としては、Ｕディスク、ポータブルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク、光ディスクなど種々のプログラムコードを記憶できるものを含む。
【０１８６】
以上は、本開示の例に過ぎず、本開示の保護範囲はこれに限定されず、本開示に開示された技術的範囲内の当業者が容易に想到できる変更や置換は、本開示の保護範囲に含まれるべきである。したがって、本開示の保護範囲は、特許請求の範囲の保護範囲によって定められるべきである。
【図１】
2021516925.tif 000003
【図２】
2021516925.tif 000004
【図３】
2021516925.tif 000005
【図４】
2021516925.tif 000006
【図５】
2021516925.tif 000007
【図６】
2021516925.tif 000008
【図７】
2021516925.tif 000009
【図８】
2021516925.tif 000010
【図９】
2021516925.tif 000011
【図１０】
2021516925.tif 000012
【図１１】
2021516925.tif 000013
【図１２】
2021516925.tif 000014
【図１３】
2021516925.tif 000015
【図１４】
2021516925.tif 000016
【図１５】
2021516925.tif 000017
【図１６】
2021516925.tif 000018
【図１７】
2021516925.tif 000019
【図１８】
2021516925.tif 000020
【国際調査報告】
2021516925.tif 000021
2021516925.tif 000022
2021516925.tif 000023
2021516925.tif 000024